(57)【特許請求の範囲】
【請求項１】
広告を表す広告情報を取得し、この取得した広告情報に基づいて所定の広告を不特定多数の人間に対して表示して呈示する広告呈示手段と、この広告呈示手段に対して前記広告情報を提供する広告情報提供手段とを備えた広告呈示システムであって、
前記広告呈示手段による前記所定の広告の呈示によって変化するものであって、前記所定の広告の対象である広告商品の販売実績の変化に関する実績情報を取得する実績情報取得手段と、
前記取得された実績情報に基づいて、前記広告呈示手段による前記所定の広告の呈示に対して支払う報酬を決定する報酬決定手段と、
前記広告呈示手段の位置を表す位置情報を取得する位置情報取得手段とを備え、
前記実績情報取得手段は、
前記取得された位置情報によって表される前記広告呈示手段の位置から所定距離以内における前記広告商品の販売実績の変化に関する前記実績情報を取得することを特徴とする広告呈示システム。
【請求項２】
請求項１に記載した広告呈示システムにおいて、
前記実績情報取得手段は、
前記広告呈示手段が前記所定の広告の呈示を終了してから所定の時間内における前記広告商品の販売実績の変化に関する前記実績情報を取得することを特徴とする広告呈示システム。
【請求項３】
請求項１又は請求項２に記載した広告呈示システムにおいて、
前記報酬決定手段は、
前記取得された実績情報に基づいて、前記広告商品の販売実績の変化のうち、前記広告商品の販売数量に関連する増加量が予め設定された所定の増加量よりも大きいときに、前記広告商品の販売数量に関連する増加量に応じた報酬を決定することを特徴とする広告呈示システム。
【請求項４】
請求項１ないし請求項３のうちのいずれか一つに記載した広告呈示システムにおいて、
前記広告呈示手段は、少なくとも、周囲に存在する情報端末装置と近距離無線通信可能とされており、
前記実績情報取得手段は、
前記広告呈示手段と前記情報端末装置との間における近距離無線通信の実績に関する通信実績情報を取得する通信実績情報取得手段と、
前記取得された通信実績情報に関連付けられた前記情報端末装置のユーザによる前記広告商品の購入に関する広告商品購入情報を取得する広告商品購入情報取得手段とを備えていて、
前記取得された広告商品購入情報に基づいて、前記広告商品の販売実績の変化に関する前記実績情報を取得することを特徴とする広告呈示システム。
【請求項５】
請求項４に記載した広告呈示システムにおいて、
前記情報端末装置は、
前記近距離無線通信によって前記広告呈示手段から前記広告情報を取得し、前記ユーザに対して前記取得した広告情報に基づく前記所定の広告を呈示することを特徴とする広告呈示システム。
【請求項６】
請求項４又は請求項５に記載した広告呈示システムにおいて、
前記通信実績情報取得手段による前記通信実績情報の取得は、
前記情報端末装置のユーザによって許可又は禁止されることを特徴とする広告呈示システム。
【請求項７】
請求項４ないし請求項６のうちのいずれか一つに記載した広告呈示システムにおいて、
前記報酬決定手段は、
前記取得された通信実績情報に基づき、少なくとも、前記広告呈示手段と前記情報端末装置との間で近距離無線通信の実績があるときに、前記情報端末装置のユーザに対して支払う所定の報酬を決定することを特徴とする広告呈示システム。
【請求項８】
請求項７に記載した広告呈示システムにおいて、
前記報酬決定手段によって決定された前記所定の報酬を表す報酬情報は、
前記情報端末装置に送信されることを特徴とする広告呈示システム。
【請求項９】
請求項１ないし請求項８のうちのいずれか一つに記載した広告呈示システムにおいて、
前記報酬決定手段は、
時限又は利用制限を設定して前記報酬を決定することを特徴とする広告呈示システム。
【請求項１０】
請求項１に記載した広告呈示システムにおいて、
前記実績情報取得手段は、
ネットワークを介して接続されて、前記広告商品を販売する店舗から前記実績情報を取得することを特徴とする広告呈示システム。
【請求項１１】
広告を表示する表示部と、この表示部による広告の表示を制御する制御部とを備えた広告呈示装置において、
前記制御部は、
外部から取得した広告を表す広告情報を取得し、
この取得した広告情報に基づいて、不特定多数の人間に対して所定の広告を前記表示部に表示して呈示し、
前記所定の広告の対象である広告商品の販売実績の変化に応じて、前記所定の広告の呈示に対して支払われる報酬を取得するものであり、
少なくとも、前記表示部の位置を表す位置情報を取得し、
前記取得した位置情報によって表される前記表示部の位置から所定距離以内における前記広告商品の販売実績の変化に応じて、前記所定の広告の呈示に対して支払われる報酬を取得することを特徴とする広告呈示装置。
【請求項１２】
請求項１１に記載した広告呈示装置において、
前記制御部は、
少なくとも、前記表示部の周囲に存在する情報端末装置との間における近距離無線通信により、前記外部から取得した前記広告情報を前記情報端末装置に配信することを特徴とする広告呈示装置。
【請求項１３】
請求項１１又は請求項１２に記載した広告呈示装置において、
前記表示部は、
車両の外板の外表面上に設けられていて、前記車両の外方に向けて画像を表示することを特徴とする広告呈示装置。
【請求項１４】
外部に対して広告を表す広告情報を提供する広告提供装置において、
外部に対して所定の広告を表す広告情報を提供することによって変化するものであって、前記所定の広告の対象である広告商品の販売実績の変化に関する実績情報を取得する実績情報取得手段と、
前記取得された実績情報に基づいて、前記外部に対して支払う報酬を決定する報酬決定手段と、
前記所定の広告を表す広告情報を提供した前記外部の位置を表す位置情報を取得する位置情報取得手段とを備え、
前記実績情報取得手段は、
前記取得された位置情報によって表される前記外部の位置から所定距離以内における前記広告商品の販売実績の変化に関する前記実績情報を取得することを特徴とする広告提供装置。
【請求項１５】
請求項１４に記載した広告提供装置において、
前記実績情報取得手段は、
前記所定の広告を表す広告情報を前記外部に提供してから所定の時間内における前記広告商品の販売実績の変化に関する前記実績情報を取得することを特徴とする広告提供装置。
【請求項１６】
請求項１４又は請求項１５に記載した広告提供装置において、
前記実績情報取得手段は、
前記所定の広告を表す広告情報を提供した前記外部の周辺に存在する情報端末装置と前記外部との間における近距離無線通信の実績に関する通信実績情報を取得する通信実績情報取得手段と、
前記取得された通信実績情報に関連付けられた前記情報端末装置のユーザによる前記広告商品の購入に関する広告商品購入情報を取得する広告商品購入情報取得手段とを備えていて、
前記取得された広告商品購入情報に基づいて、前記広告商品の販売実績の変化に関する実績情報を取得することを特徴とする広告提供装置。
【請求項１７】
請求項１６に記載した広告提供装置において、
前記通信実績情報取得手段による前記通信実績情報の取得は、
前記情報端末装置のユーザによって許可又は禁止されることを特徴とする広告提供装置。
【発明の詳細な説明】
【技術分野】
【０００１】
本発明は、所定の広告情報に基づいて所定の広告を呈示する広告呈示システム、広告呈示装置及び広告提供装置に関する。
【背景技術】
【０００２】
従来から、例えば、下記特許文献１に示されているような来店確認情報処理システムは知られている。この従来の来店確認情報処理システムは、ウェブサイトを閲覧したログと、実際に店舗に訪れたログとに基づいて、それらが対応付けられたログを生成することにより、来店確認が可能となっている。【０００３】
又、従来から、例えば、下記特許文献２に示されているようなナビゲーション管理システムも知られている。この従来のナビゲーション管理システムは、携帯端末装置が店舗までのナビゲーションを成功したことを通知する成功情報を成功数にカウントアップし、成功数に基づいて、ナビゲーションの成功の対価として請求すべき請求額を算出するようになっている。これにより、ナビゲーションサービスを受ける者が、誘導の成功に応じて、ナビゲーションサービスの提供者に対価を支払うことが可能となっている。【０００４】
又、従来から、例えば、下記特許文献３に示されているような配信システムも知られている。この配信システムは、情報提供者が広告主の店舗に関して記述した文書コンテンツと、２次アフィリエイターＩＤと、広告主サーバにアクセスするためのリンク情報と、広告主の店舗の位置を示す位置情報とを対応付けた口コミ情報を管理する口コミ情報管理サーバを備えており、この口コミ情報管理サーバは、新たな口コミ情報を登録する際、新たな口コミ情報を登録可能であると判定した場合に限り、新たな口コミ情報を登録するようになっている。これにより、口コミ情報が広告にどの程度貢献したかを明確に把握することができ、口コミ情報の信憑性を高めることができるようになっている。【０００５】
又、従来から、例えば、下記特許文献４に示されているようなプログラム及びコンピュータシステムも知られている。この従来のプログラム及びコンピュータシステムは、他人のアバターを画面上でクリックすると、他人のアバターが着用しているアイテムを販売する店舗に誘導され、この店舗でアイテムが購入されると、他人のアバターに対して商品販売をきっかけを作ったことに対するアフィリエイト（報酬）が付与されるようになっている。【０００６】
更に、従来から、例えば、下記特許文献５に示されているような車両用広告表示方法、広告表示システム及び広告表示車両も知られている。この従来の広告表示システムでは、広告依頼主からの要請を受けて事業主体で広告を作成し、作成した広告を電子化して広告データとして無線サービス会社から車両に送信するようになっている。そして、車両においては、広告データを受信し、受信した広告データのうち走行地域に応じた広告データに基づいて車両に設置した広告表示装置により広告を表示し、車外の人に宣伝するようになっている。
【先行技術文献】
【特許文献】
【０００７】
【特許文献１】特開２００８−１１７１５９号公報
【特許文献２】特開２００６−３３０９４３号公報
【特許文献３】特開２００８−１７６５７０号公報
【特許文献４】特開２００８−２１７１４２号公報
【特許文献５】特開２００２−６３４８２号公報
【発明の概要】
【０００８】
上記従来の各装置等においては、情報の提供者と提供された情報を利用する利用者とが特定できる関係にあるため、例えば、利用者の行動に伴って情報の提供者に報酬（アフィリエイト）を容易に支払うことが可能となる。しかし、特に、不特定多数の人間を対象にして広告を表示する場合、この表示された広告を実際に閲覧して広告商品を購入した人を特定することは極めて難しく、このため、広告（情報）を表示（配信）したことによる広告効果を適切に評価することができず、その結果、例えば、広告を表示するための表示媒体を提供した人に対して適切な報酬（アフィリエイト）を支払うことが難しくなる。
【０００９】
又、広告の表示内容に基づく広告効果に関し、上記特許文献５に示された従来の広告表示システムにおいては、車外の人、すなわち、広告表示装置を介して広告（情報）を閲覧できる閲覧者に対して、走行地域に応じた広告データに基づく広告を広告表示装置に表示して宣伝するものである。一般に、広告効果、所謂、宣伝効果は、この広告或いは情報を見る側の関心の高さや興味の有無によって効果が上がったり下がったりする傾向を有する。この点に関し、走行地域に応じて一義的に広告表示装置に広告が表示される上記従来の広告表示システムでは、表示される広告が必ずしも閲覧者の関心や興味のある情報であるとは限らず、良好な広告効果（宣伝効果）を上げているとは言えない可能性がある。
【００１０】
又、広告の表示態様に基づく広告効果に関して、上記特許文献５に示された従来の広告表示システムにおいては、特定の車両を想定し、この特定の車両が個々に広告データに基づいて広告表示装置を利用して広告を表示するものである。このため、広告を見る閲覧者（視聴者）が限られる、言い換えれば、広告の表示密度が低いために良好な広告効果を上げているとは言い難い。この点に関し、近年、広告の表示密度を高めて広告効果すなわち宣伝効果を上げることを目的として、特定の地域や特定の空間に同一の事業者の広告を集中して（占有して）呈示する手法が採用される場合がある。このように、集中して（占有して）広告を呈示することにより、閲覧者（視聴者）が広告を見る機会が増えるため広告効果（宣伝効果）を高めることができると言われている。しかし、車両を用いてこのような手法を採用しようとすると、車両は移動するものであるため、特定の車両が同一地域に同一の事業者の広告を集中して（占有して）呈示することは困難となる。
【００１１】
本発明は、上記課題を解決するためになされたものであり、その目的の一つは、広告表示による広告効果を適切に評価して適切な報酬を支払う広告呈示システム、広告呈示装置及び広告提供装置を提供することにある。
【００１２】
上記目的を達成するために、本発明の特徴は、広告を表す広告情報を取得し、この取得した広告情報に基づいて所定の広告を不特定多数の人間に対して表示して呈示する広告呈示手段と、この広告呈示手段に対して前記広告情報を提供する広告情報提供手段とを備えた広告呈示システムであって、前記広告呈示手段による前記所定の広告の呈示によって変化するものであって、前記所定の広告の対象である広告商品の販売実績の変化に関する実績情報を取得する実績情報取得手段と、前記取得された実績情報に基づいて、前記広告呈示手段による前記所定の広告の呈示に対して支払う報酬を決定する報酬決定手段とを備えることにある。この場合、前記実績情報取得手段は、例えば、ネットワークを介して接続されて、前記広告商品を販売する店舗から前記実績情報を取得することができる。又、この場合、前記報酬決定手段は、例えば、時限又は利用制限を設定して前記報酬を決定することができる。
【００１３】
これらによれば、広告提供手段から提供される広告情報に基づき、広告呈示手段によって広告商品を宣伝するための所定の広告が不特定多数の人間（閲覧者）に対して呈示されると、この呈示によって変化する広告商品の販売実績の変化に関する実績情報を取得し、この実績情報に基づいて広告の呈示に対して支払う報酬を決定することができる。すなわち、実績情報によって表される広告商品の販売実績の変化は、広告呈示手段によって所定の広告が呈示されることと相関しているため、実績情報に基づくことにより、不特定多数の人間に対して広告を呈示することに伴う広告効果を適切に評価して報酬を決定することができる。又、実績情報については、広告商品を販売する店舗からネットワークを介して取得することができるため、例えば、広告呈示手段によって表示された所定の広告を見た人（閲覧者）がインターネット上に開設された店舗等を利用して広告商品を購入した場合であっても、正確な実績情報を取得することができて、広告の呈示に対する適切な報酬を決定することができる。又、決定される報酬に対して時限や利用制限を設定することにより、例えば、報酬が、所謂、ポイントして支払われる場合には、このポイントの利用を促すことができる。
【００１４】
この場合、前記広告呈示手段の位置を表す位置情報を取得する位置情報取得手段を備え、前記実績情報取得手段は、前記取得された位置情報によって表される前記広告呈示手段の位置から所定距離以内における前記広告商品の販売実績の変化に関する前記実績情報を取得することができる。そして、この場合には、前記実績情報取得手段は、例えば、前記広告呈示手段が前記所定の広告の呈示を終了してから所定の時間内或いは所定の時間が経過した後における前記広告商品の販売実績の変化に関する前記実績情報を取得することができる。又、これらの場合には、前記報酬決定手段は、例えば、前記取得された実績情報に基づいて、前記広告商品の販売実績の変化のうち、前記広告商品の販売数量に関連する増加量が予め設定された所定の増加量よりも大きいときに、前記広告商品の販売数量に関連する増加量に応じた報酬を決定することができる。
【００１５】
これらによれば、所定の広告を呈示する広告呈示手段の位置から所定距離以内における広告商品の販売実績の変化に関する実績情報であったり、更に詳しくは、広告呈示手段による所定の広告の呈示が終了してから所定の時間内或いは所定の時間が経過した後における広告商品の販売実績の変化に関する実績情報を取得することができる。これにより、広告呈示手段によって所定の広告が呈示されることと、実績情報によって表される広告商品の販売実績の変化との相関をより高精度に評価することができ、この高精度な実績情報に基づくことによって、広告を表示することに伴う広告効果をより適切に評価することができて、例えば、広告商品の販売数量に関連する増加量に応じて報酬を決定することができる。
【００１６】
又、これらの場合、前記広告呈示手段は、少なくとも、周囲に存在する情報端末装置と近距離無線通信可能とされており、前記実績情報取得手段は、前記広告呈示手段と前記情報端末装置との間における近距離無線通信の実績に関する通信実績情報を取得する通信実績情報取得手段と、前記取得された通信実績情報に関連付けられた前記情報端末装置のユーザによる前記広告商品の購入に関する広告商品購入情報を取得する広告商品購入情報取得手段とを備えていて、前記取得された広告商品購入情報に基づいて、前記広告商品の販売実績の変化に関する前記実績情報を取得することができる。この場合、前記情報端末装置は、例えば、前記近距離無線通信によって前記広告呈示手段から前記広告情報を取得し、前記ユーザに対して前記取得した広告情報に基づく前記所定の広告を呈示することができる。又、これらの場合、前記通信実績情報取得手段による前記通信実績情報の取得は、例えば、前記情報端末装置のユーザによって許可又は禁止されるようにすることができる。又、これらの場合、前記報酬決定手段は、例えば、前記取得された通信実績情報に基づき、少なくとも、前記広告呈示手段と前記情報端末装置との間で近距離無線通信の実績があるときに、前記情報端末装置のユーザに対して支払う所定の報酬を決定することができる。更に、この場合には、前記報酬決定手段によって決定された前記所定の報酬を表す報酬情報は、例えば、前記情報端末装置に送信されるようにすることができる。
【００１７】
これらによれば、広告呈示手段と近距離無線通信した実績のある情報端末装置のユーザが実際に広告商品を購入したことに基づく実績情報を取得することができる。これにより、広告呈示手段によって所定の広告が呈示されることと、実績情報によって表される広告商品の販売実績の変化との相関を極めて高精度に評価することができ、この高精度な実績情報に基づくことによって、広告を表示することに伴う広告効果をより適切に評価することができる。又、通信実績情報の取得に関しては、情報端末装置のユーザが許可又は禁止することができるため、例えば、報酬を得たいときは近距離無線通信の通信実績情報の取得を許可し、プライバシーを確保したいときは近距離無線通信の通信実績情報の取得を禁止することができる。
【００１８】
又、本発明の他の特徴は、広告を表示する表示部と、この表示部による広告の表示を制御する制御部とを備えた広告呈示装置において、前記制御部が、外部から取得した広告を表す広告情報を取得し、この取得した広告情報に基づいて、不特定多数の人間に対して所定の広告を前記表示部に表示して呈示し、前記所定の広告の対象である広告商品の販売実績の変化に応じて、前記所定の広告の呈示に対して支払われる報酬を取得することにもある。この場合、前記制御部は、少なくとも、前記表示部の位置を表す位置情報を取得し、前記取得した位置情報によって表される前記表示部の位置から所定距離以内における前記広告商品の販売実績の変化に応じて、前記所定の広告の呈示に対して支払われる報酬を取得することができる。又、これらの場合、前記制御部は、例えば、少なくとも、前記表示部の周囲に存在する情報端末装置との間における近距離無線通信により、前記外部から取得した前記広告情報を前記情報端末装置に配信することができる。更に、これらの場合、前記表示部は、例えば、車両の外板の外表面上に設けられていて、前記車両の外方に向けて画像を表示することができる。
【００１９】
これらによれば、外部から取得した広告情報に基づいて不特定多数の人間に対して所定の広告を呈示することにより、この提示した所定の広告に対応する広告商品の販売実績の変化に応じて、所定の広告の呈示に対して支払われる報酬を取得することができる。これにより、広告を呈示することに伴う広告効果が適切に評価され、この評価に基づて適切に決定された報酬を取得することができる。
【００２０】
又、本発明の他の特徴は、外部に対して広告を表す広告情報を提供する広告提供装置において、外部に対して所定の広告を表す広告情報を提供することによって変化するものであって、前記所定の広告の対象である広告商品の販売実績の変化に関する実績情報を取得する実績情報取得手段と、前記取得された実績情報に基づいて、前記外部に対して支払う報酬を決定する報酬決定手段とを備えることにもある。この場合、前記所定の広告を表す広告情報を提供した前記外部の位置を表す位置情報を取得する位置情報取得手段を備え、前記実績情報取得手段は、前記取得された位置情報によって表される前記外部の位置から所定距離以内における前記広告商品の販売実績の変化に関する前記実績情報を取得することができる。この場合、前記実績情報取得手段は、例えば、前記所定の広告を表す広告情報を前記外部に提供してから所定の時間内或いは所定の時間が経過した後における前記広告商品の販売実績の変化に関する前記実績情報を取得することができる。
【００２１】
又、これらの場合、前記実績情報取得手段は、前記所定の広告を表す広告情報を提供した前記外部の周辺に存在する情報端末装置と前記外部との間における近距離無線通信の実績に関する通信実績情報を取得する通信実績情報取得手段と、前記取得された通信実績情報に関連付けられた前記情報端末装置のユーザによる前記広告商品の購入に関する広告商品購入情報を取得する広告商品購入情報取得手段とを備えていて、前記取得された広告商品購入情報に基づいて、前記広告商品の販売実績の変化に関する実績情報を取得することができる。そして、この場合、前記通信実績情報取得手段による前記通信実績情報の取得は、例えば、前記情報端末装置のユーザによって許可又は禁止されるようにすることができる。
【００２２】
これらによれば、外部に対して所定の広告を表す広告情報を提供すると、この提供によって変化する広告商品の販売実績の変化に関する実績情報を取得し、この実績情報に基づいて外部に対して支払う報酬を決定することができる。すなわち、実績情報によって表される広告商品の販売実績の変化は、外部に対して所定の広告を表す広告情報を提供することと相関しているため、実績情報に基づくことにより、広告情報を提供することに伴う広告効果を適切に評価して報酬を決定することができる。
【００２３】
又、所定の広告を表す広告情報を提供した外部の位置から所定距離以内における広告商品の販売実績の変化に関する実績情報であったり、更に詳しくは、所定の広告を表す広告情報を提供してから所定の時間内或いは所定の時間が経過した後における広告商品の販売実績の変化に関する実績情報を取得することができる。これにより、所定の広告を表す広告情報を外部に提供することと、実績情報によって表される広告商品の販売実績の変化との相関をより高精度に評価することができ、この高精度な実績情報に基づくことによって、広告情報を提供することに伴う広告効果をより適切に評価することができる。
【００２４】
更に、所定の広告を表す広告情報を提供した外部と近距離無線通信した実績のある情報端末装置のユーザが実際に広告商品を購入したことに基づく実績情報を取得することができる。これにより、所定の広告を表す広告情報を外部に提供することと、実績情報によって表される広告商品の販売実績の変化との相関を極めて高精度に評価することができ、この高精度な実績情報に基づくことによって、広告を表示することに伴う広告効果をより適切に評価することができる。
【００２５】
ここで、車両を介して表示する広告の表示内容及び表示態様に関し、例えば、車両を介して表示する情報として、少なくとも閲覧者が関心を有している広告情報を配信することを可能とする場合には、車両の周囲に存在して各種情報を閲覧する閲覧者に対して、前記車両を介して情報を配信する車両情報配信装置であって、前記車両のユーザに関する情報、及び、前記車両の周囲に存在する閲覧者に関する情報を取得する情報取得手段と、前記取得された前記車両のユーザに関する情報及び前記閲覧者に関する情報に基づいて所定の情報を取得し、この取得した前記所定の情報を前記車両を介して配信する情報配信手段とを備えた車両情報配信装置を採用するとよい。この場合、前記情報取得手段によって取得される前記車両のユーザに関する情報及び前記閲覧者に関する情報は、少なくとも、前記車両のユーザ及び前記閲覧者のそれぞれの趣向を含む趣向情報及び前記車両のユーザと前記閲覧者との間の間柄を表す間柄情報であるとよい。
【００２６】
これによれば、情報配信手段は、車両のユーザに関する情報及び閲覧者に関する情報、より具体的には、車両のユーザ及び閲覧者の趣向情報や間柄情報に基づいて所定の情報（広告情報を含む）を取得して、車両を介して閲覧者に対して配信することができる。従って、例えば、車両のユーザの趣向情報及び閲覧者の趣向情報に応じた車両のユーザと閲覧者の趣向に一致する情報や、車両のユーザ及び閲覧者の間柄情報に応じた車両のユーザと閲覧者の間柄に合わせた情報、言い換えれば、車両のユーザが閲覧者に対して提供したい情報であり、かつ、閲覧者が関心を有している情報を自動的に配信することができる。尚、この場合における「配信」とは、直接的な通信による情報の提供や、例えば、センタ（サーバ）を介したセキュアな情報の提供を含むものとする。
【００２７】
この場合、前記情報配信手段は、前記取得された前記車両のユーザに関する情報及び前記閲覧者に関する情報に基づいて、前記車両のユーザ及び前記閲覧者が特定の関係にあるときは、前記車両のユーザから前記閲覧者へのメッセージを前記所定の情報として取得して前記車両を介して配信することができる。
【００２８】
これによれば、車両のユーザと閲覧者との間に特定の関係（例えば、家族、友人、ソーシャルネットワーキングサービス（ＳＮＳ）を利用したコミュニティーの友人、同窓、同郷、同業者等の関係）がある場合には、例えば、車両のユーザは別途操作を行うことなく、閲覧者に対してメッセージ（広告情報を含む）を配信することができる。従って、車両のユーザが閲覧者に対して提供したい情報（メッセージ）であり、かつ、閲覧者が関心を有している情報（メッセージ）を自動的に配信することができる。
【００２９】
又、これらの場合、前記情報配信手段は、前記閲覧者が前記車両と異なる他の車両に乗車しており、前記車両のユーザと前記他の車両に乗車した前記閲覧者とが所定の関係を有するときには、前記ユーザの乗車した前記車両を介して前記他の車両に乗車した前記閲覧者に対して配信する前記所定の情報に連動する所定の情報を更に取得し、この取得した前記連動する所定の情報を前記閲覧者の乗車した前記他の車両を介して配信することができる。
【００３０】
これによれば、車両のユーザと他の車両に乗車した閲覧者とが所定の関係、例えば、目的地が同一又は近似、或いは、進行方向が同一又は近似する関係であるときには、車両のユーザと他の車両に乗車した閲覧者とがツーリング（並走）しながら移動することができる。そして、この場合においては、車両を介して他の車両に乗車する閲覧者に配信する所定の情報（例えば、画像や映像）に連動する所定の情報を、他の車両を介して車両のユーザに配信することができる。これにより、ツーリングしている車両と他の車両がそれぞれ一体感を高める情報（広告情報を含む）を互いに配信しあうことができる。
【００３１】
又、これらの場合、前記情報配信手段は、前記取得された前記閲覧者に関する情報に基づいて、所定の広告を表す広告情報を前記所定の情報として取得して前記車両を介して配信することができる。
【００３２】
これによれば、情報配信手段は、車両のユーザに関する情報及び閲覧者に関する情報、より具体的には、趣向情報や間柄情報に基づいて、少なくとも閲覧者の趣向に応じた（関心を有している）広告情報を所定の情報として取得して、車両を介して閲覧者に対して配信することができる。従って、例えば、車両のユーザの趣向情報及び閲覧者の趣向情報に応じて、車両のユーザと閲覧者の趣向に一致する広告情報、言い換えれば、車両のユーザが閲覧者に対して提供したい情報であり、かつ、閲覧者が関心のある情報を自動的に配信することができる。
【００３３】
又、これらの場合、前記車両を介して配信される前記所定の情報は、例えば、前記車両に設けられて、前記車両の外方に存在する前記閲覧者が視認可能な表示部に表示されるものであるとよく、この場合には、前記表示部は、例えば、前記車両の外板の外表面上に設けられて、前記車両の外方に向けて画像を表示するものとすることができる。これらによれば、車両の外方に存在する閲覧者に対して車体全体で情報を表示することができるため、極めて良好な視認性を確保することができる。或いは、これらの場合、前記車両を介して配信される前記所定の情報は、例えば、限定された閲覧者のみが視認可能な表示装置に表示されるものであるとよく、この場合には、前記表示装置は、例えば、前記車両と通信し、前記配信された前記所定の情報を取得して表示するものとすることができる。これらによれば、限定された閲覧者に対してのみ情報を表示することができるため、例えば、プライバシーやセキュリティーの確保が必要な情報を適切に限定された（特定の）閲覧者に配信（表示）することができる。
【００３４】
又、本発明の他の特徴は、車両の周囲に存在して各種情報を閲覧する閲覧者に対して、前記車両を介して情報を配信する車両情報配信システムであって、前記車両と、前記閲覧者が所持する携帯情報端末装置又は前記閲覧者が乗車した前記車両と異なる他の車両とが互いに近接している状況を取得する近接状況取得手段と、前記車両に近接した前記携帯情報端末装置又は前記他の車両から前記閲覧者に関する情報を取得する閲覧者情報取得手段と、前記取得された前記閲覧者に関する情報に基づいて、所定の広告を表す広告情報を取得して前記車両を介して配信する情報配信手段とを備えたことにもある。この場合、前記閲覧者情報取得手段によって取得される前記閲覧者に関する情報は、少なくとも、前記閲覧者の趣向を含む趣向情報であるとよい。
【００３５】
これらによれば、車両と、閲覧者が所持する携帯情報端末装置又は閲覧者が乗車した他の車両とが互いに近接している状況（或いは、すれ違った状況）が取得されることのみをもって、例えば、閲覧者の趣向に応じた広告情報を、車両を介して配信することができる。これにより、閲覧者に関する情報を一元的に管理することができ、閲覧者のプライバシーを適切に保護する（確保する）ことができる。
【００３６】
尚、この場合においても、前記車両を介して配信される前記広告情報は、例えば、前記車両に設けられて、前記車両の外方に存在する前記閲覧者が視認可能な表示部に表示されるものであるとよく、この場合には、前記表示部は、例えば、前記車両の外板の外表面上に設けられて、前記車両の外方に向けて画像を表示するものとすることができる。これらによれば、車両の外方に存在する閲覧者に対して車体全体で広告を表示することができるため、極めて良好な視認性を確保することができる。或いは、これらの場合、前記車両を介して配信される前記広告情報は、例えば、限定された閲覧者のみが視認可能な表示装置に表示されるものであるとよく、この場合には、前記表示装置は、例えば、前記車両と通信し、前記配信された前記広告情報を取得して表示するものとすることができる。これらによれば、限定された閲覧者に対してのみ広告を表示することができるため、例えば、プライバシーやセキュリティーの確保が必要な情報を適切に限定された（特定の）閲覧者に配信（表示）することができる。
【００３７】
又、車両を介して表示する広告の表示内容及び表示態様に関し、例えば、車両を用いて特定の地域内にて特定の事業者の広告を集中して呈示することを可能とする場合には、車両によって広告を表示して呈示する車両用広告呈示システムにおいて、車両の外方に向けて広告の画像を表示する表示部を有して特定の領域内に存在可能な複数の車両に関する車両情報を取得する車両情報取得手段と、前記複数の車両に対して前記表示部により表示する広告に関する広告情報を送信する広告情報送信手段とを備え、前記送信される広告情報は、前記複数の車両が前記特定の領域内に存在するときに、前記複数の車両が有するそれぞれの前記表示部間で広告の画像を連動して表示する表示態様に関する情報を含むようにした車両用広告呈示システムを採用するとよい。
【００３８】
これによれば、広告情報送信手段は、車両情報取得手段によって取得された車両情報（例えば、車両の現在位置情報等）に基づき、特定の領域内に存在可能な複数の車両に対して広告情報を送信することができる。そして、同一の広告情報を取得した複数の車両が特定の領域内に存在するときには、同一の広告情報に基づいて、複数の車両のそれぞれの表示部は連動して表示する表示態様によって広告の画像を車両の外方に向けて表示することができる。これにより、特定の領域内における複数の車両、より具体的には、複数の車両が有する表示部が、例えば、特定の事業者の広告の画像を集中して（占有して）表示することによって広告密度を効果的に高めることができ、その結果、閲覧者（視聴者）が広告を見る機会を増やして広告効果（宣伝効果）を飛躍的に向上させることができる。
【００３９】
この場合、前記広告の画像を連動して表示する表示態様には、前記複数の車両が有するそれぞれの前記表示部が広告の画像を同期して表示する表示態様が含まれる。
【００４０】
これによれば、複数の車両のそれぞれに設けられた表示部が、例えば、表示する広告の画像を同期（同一と）したり、広告の画像を表示するタイミングを同期（同一と）したりする等、互いに同期して広告の画像を一斉に表示することができる。このように同期して広告の画像を表示することにより、車両の外方に存在する視聴者に対して強い印象を与えることができ、その結果、広告効果（宣伝効果）を飛躍的に向上させることができる。
【００４１】
又、これらの場合、前記広告情報は、例えば、同一又は特定の関係にある事業者による広告に関する情報とすることができる。これによれば、特定の領域内にて同一の事業者の広告を集中して（占有して）呈示することができ、広告密度を効果的に高めて広告効果（宣伝効果）を飛躍的に向上させることができる。又、特定の領域内にて特定の関係にある事業者、例えば、コラボレーションしている事業者たちの広告を集中して（占有して）呈示することができ、この場合には、例えば、コラボレーションした商品等の広告効果（宣伝効果）を飛躍的に向上させることができる。
【００４２】
又、これらの場合、前記複数の車両は、例えば、前記広告情報に基づいてそれぞれの前記表示部に広告の画像を連動して表示するときに、互いに通信することができる。これによれば、それぞれの表示部が所定の表示態様により広告の画像を表示するとき、具体的には、広告の画像を連動して表示するときや、広告の画像を同期して表示するときに、複数の車両同士が互いに通信することによって、より適切にかつ正確に連動して（同期を含む）広告の画像を表示することができる。従って、このように適切にかつ正確に連動して（同期を含む）広告の画像を表示することによって、広告効果（宣伝効果）を飛躍的に向上させることができる。
【００４３】
又、これらの場合、前記広告情報送信手段は、例えば、前記特定の領域内に存在する複数の車両に対して前記広告情報を送信することができる。これによれば、既に、特定の領域内に存在する複数の車両に対してのみ広告情報を送信することができるため、広告情報送信手段による送信処理に係る負担を軽減することができるとともに、広告情報送信手段の構成を簡略化することが可能となる。
【００４４】
又、これらの場合、前記広告情報送信手段は、例えば、前記特定の領域内に存在する一の車両に対して前記広告情報を送信し、前記一の車両は、前記特定の領域内に存在する複数の他の車両に対して前記広告情報送信手段から受信して取得した前記広告情報を送信することができる。これによれば、既に、特定の領域内に存在する一の車両に対してのみ広告情報を送信することによって、一の車両が特定の領域内に存在する他の車両に対して同一の広告情報を送信する（伝播させる）ことができるため、広告情報送信手段による送信処理に係る負担を軽減することができるとともに、広告情報送信手段の構成を簡略化することが可能となる。
【００４５】
更に、これらの場合、前記表示部は、例えば、前記車両の外板の外表面上に設けられて、前記車両の外方に向けて広告の画像を表示することができる。これによれば、車体全体で広告の画像を表示することができるため、視聴者に対して強い印象を与えることができ、その結果、広告効果（宣伝効果）を飛躍的に向上させることができる。
【図面の簡単な説明】
【００４６】
【図１】図１は、本発明の第１実施形態に係り、車両、情報管理センタ及び店舗からなる広告呈示システムを示す概略ブロック図である。
【図２】図２は、本発明の各実施形態に共通する車両の構成を概略的に示すブロック図である。
【図３】図３は、図２の車体表示部を車両の外板の外表面上に設けた状態を説明するための概略図である。
【図４】図４は、本発明の各実施形態に共通する情報管理センタの構成を概略的に示すブロック図である。
【図５】図５は、本発明の各実施形態に共通する店舗の構成を概略的に示すブロック図である。
【図６】図６は、本発明の第１実施形態に係り、図４の情報管理センタにおける情報管理サーバが実行する広告呈示プログラムを示すフローチャートである。
【図７】図７は、本発明の第２実施形態に係り、車両、情報管理センタ、店舗及び情報端末装置からなる広告呈示システムを示す概略ブロック図である。
【図８】図８は、本発明の第２実施形態に係り、図７の情報端末装置の構成を概略的に示すブロック図である。
【図９】図９は、本発明の第２実施形態に係り、車両、情報管理センタ及び情報端末装置（店舗）における各処理のタイムチャートである。
【図１０】図１０は、本発明の変形例に係り、情報管理センタにおける情報管理サーバが実行する情報配信プログラムを示すフローチャートである。
【図１１】図１１は、本発明の変形例に係り、図１０の情報配信プログラムの実行により、運転者と閲覧者とが特定の関係にある場合に車両の車体表示部に表示される情報としてのメッセージの表示態様を説明するための概略的な図である。
【図１２】図１２は、本発明の変形例に係り、図１０の情報配信プログラムの実行により、ツーリングする場合に各車両のそれぞれの車体表示部に連動して表示される情報としての画像の表示態様を説明するための概略的な図である。
【図１３】図１３は、本発明の変形例に係り、図１０に示す情報配信プログラムにおける趣向対応広告配信ルーチンを示すフローチャートである。
【図１４】図１４は、本発明の変形例に係り、車両における電子制御ユニット及び情報管理センタにおける情報管理サーバが協働して実行する広告呈示プログラムを示すフローチャートである。
【図１５】図１５は、本発明の変形例に係り、図１４の広告呈示プログラムの実行により、各車両のそれぞれの車体表示部に表示される広告の表示態様のうちの連動表示を説明するための概略的な図である。
【図１６】図１６は、本発明の変形例に係り、図１４の広告呈示プログラムの実行により、各車両のそれぞれの車体表示部に表示される広告の表示態様のうちの同期表示を説明するための概略的な図である。
【発明を実施するための形態】
【００４７】
ａ．第１実施形態
以下、本発明の実施形態に係る広告呈示装置及び広告提供装置を備えた広告呈示システムについて図面を用いて説明する。図１は、本発明の第１実施形態に係る広告呈示システムを概略的に示した概略ブロック図である。この第１実施形態における広告呈示システムは、図１に示すように、車両１０（広告呈示装置）と、情報管理センタ２０（広告提供装置）と、車両１０を中心として所定距離以内に存在する店舗３０とからなるものである。そして、この広告呈示システムにおいては、情報管理センタ２０から送信される広告を表す広告情報に基づいて車両１０が広告を表示し、この車両１０から所定距離以内に存在する店舗（或いは自販機）３０にて車両１０によって表示された広告の対象である広告商品の販売実績に有意な変化が生じたときに車両１０のユーザすなわち広告配信者に報酬（還元ポイント）が支払われる。このように、この広告呈示システムを構成することにより、広告の表示媒体として車両１０を提供したユーザすなわち広告配信者に対して、広告した商品の販売実績に応じたすなわち広告の表示に伴う広告効果を評価して適切な報酬を支払うことができる。
【００４８】
車両１０は、広告の表示媒体となり得るものあり、車両１０の外方に向けて画像（映像）やメッセージ等からなる広告を不特定多数の人間に対して表示して呈示する表示部としての車体表示部１１を備えている。車体表示部１１は、周知の自発光型パネル（例えば、プラズマ表示パネルや有機ＥＬ表示パネル等）や透過光型表示パネル（例えば、バックライトを有する液晶表示パネル等）を備えるとともに、これらの表示パネルを作動させるための周知の駆動回路（図示省略）を備えている。
【００４９】
ここで、車体表示部１１は、車両１０の外方に向けて画像（映像）を表示するものである。このため、本実施形態における車体表示部１１は、車両１０の外板の外表面上に、例えば、上述した薄板状の自発光型表示パネルや透過光型表示パネルを貼付するように設けられる。具体的には、図３に概略的に示すように、車両１０の外形を形成するフード（ボンネット）、左右のサイドパネル（フェンダやドアパネル、ピラー等）、ルーフやトランクリッド（リアゲート）、或いは、必要な透明性を確保できる場合にはフロント、リア及びサイドガラスに対して、薄板状に形成された車体表示部１１を貼付するとともにこの貼付した車体表示部１１の外表面に透明な保護層（例えば、ポリカーボネート等の樹脂材料）を設ける。これにより、貼付された車体表示部１１は、種々の画像（映像）やメッセージ等からなる広告を車両１０の外方に向けて表示（再生）することができる。
【００５０】
又、車両１０は、図２に示すように、電子制御ユニット１２、通信ユニット１３、記憶ユニット１４及び位置検出ユニット１５を備えている。
【００５１】
電子制御ユニット１２は、ＣＰＵ、ＲＯＭ、ＲＡＭ等を主要構成部品とするマイクロコンピュータであり、各種プログラムを実行することにより、車両１０（より詳しくは、車体表示部１１）の作動を統括的に制御する。このため、電子制御ユニット１２に対して、通信ユニット１３、記憶ユニット１４及び位置検出ユニット１５がそれぞれ電気的に通信可能に接続されている。
【００５２】
通信ユニット１３は、情報管理センタ２０等の外部との間における種々の通信を可能とするものである。尚、通信ユニット１３による通信方法自体は、本発明に直接関係するものではなく、周知の通信方法（例えば、Bluetooth（登録商標）やWi-Fi（登録商標）、NFC(Near Field Communication)を利用した近・中距離通信、通信基地局を含む携帯電話回線網及びインターネット回線網を利用したネットワーク通信等）を採用することができる。これにより、後述するように、電子制御ユニット１２が通信ユニット１３を利用して情報管理センタ２０と通信し、所定の広告を表す広告情報を含む各種情報やデータを送受信することができる。
【００５３】
記憶ユニット１４は、ハードディスクや半導体メモリ等の記憶媒体及び同記憶媒体のドライブ装置を含むものであり、各種プログラム及び各種データを更新可能に記憶している。ここで、記憶ユニット１４に記憶される各種データとしては、例えば、後述するように情報管理センタ２０から車体表示部１１に表示するように送信（配信）される広告情報に含まれる画像（映像）データや車体表示部１１を利用した表示に関する輝度等の情報が書き込まれた情報テーブル等がある。
【００５４】
位置検出ユニット１５は、車両１０の現在位置を検出するものである。このため、位置検出ユニット１５は、例えば、３つ以上のＧＰＳ（Global Positioning System）衛星からそれぞれ検出されるＧＰＳ信号を取得し、これらのＧＰＳ信号に基づいて車両１０（車体表示部１１）の現在位置を検出したり、通信ユニット１３と協働して携帯電話回線網用の通信基地局からの送信信号を取得し、この送信信号に基づいて車両１０（車体表示部１１）の現在位置を検出したり、或いは、ＧＰＳ衛星からのＧＰＳ信号と通信基地局からの送信信号の両方に基づいて車両１０（車体表示部１１）の現在位置を検出する。そして、位置検出ユニット１５は、検出した現在位置を表す現在位置情報を電子制御ユニット１２に出力するようになっている。尚、位置検出ユニット１５は、その現在位置検出機能によって車両１０の進行方向を検出することが可能であり、検出した進行方向を表す進行方向情報をも電子制御ユニット１２に出力することができるようになっている。
【００５５】
本実施形態における情報管理センタ２０は、広告表示を希望する事業者（依頼主）から提供される広告情報を管理し、車両１０の現在位置に応じて、或いは、要求に応じて、管理している広告情報を送信（配信）するものである。又、情報管理センタ２０は、車両１０（より詳しくは、車体表示部１１）を介して広告を表示することにより、広告された広告商品を販売する店舗３０における販売実績に有意な変化が生じているか否かを判断し、変化が生じている場合には広告の表示媒体として車両１０の車体表示部１１の使用を許可したユーザ（すなわち、広告配信者）に対して適切な報酬（還元ポイント）を決定して支払う（還元する）還元処理を実行するものである。従って、本実施形態における情報管理センタ２０は、実績情報取得手段と、報酬決定手段と、位置情報取得手段とを備えるものである。
【００５６】
このため、情報管理センタ２０は、図４に示すように、情報管理サーバ２１と、通信ユニット２２と、記憶ユニット２３とを備えている。情報管理サーバ２１は、ＣＰＵ、ＲＯＭ、ＲＡＭ等を主要構成部品とするマイクロコンピュータであり、後述のプログラムを含む各種プログラムを実行することにより、情報管理センタ２０を統括的に制御する。このため、情報管理サーバ２１に対して、通信ユニット２２及び記憶ユニット２３がそれぞれ電気的に通信可能に接続されている。
【００５７】
通信ユニット２２は、車両１０や店舗３０との間における種々の通信を可能とするものである。尚、通信ユニット２２による通信自体も、本発明に直接関係するものではなく、周知の通信方法（例えば、通信基地局を含む携帯電話回線網及びインターネット回線網を利用したネットワーク通信等）を採用することができる。これにより、後述するように、車両１０から現在位置情報（或いは、車両１０の目的地情報や進行方向情報等）受信したり、車両１０に対して画像（映像）やメッセージ等からなる広告情報をを送信（配信）したりすることができる。又、後述するように、所定の店舗３０から広告商品の販売実績、すなわち、販売数量や売上高等を表す実績情報を受信したり、実績情報に基づく報酬（還元ポイント）を広告配信者である車両１０（より詳しくは、車両１０のユーザ）に送信（還元）したりすることができる。
【００５８】
記憶ユニット２３は、ハードディスクや半導体メモリ等の記憶媒体及び同記憶媒体のドライブ装置を含むものであり、情報管理サーバ２１が情報管理センタ２０の作動を統括的に制御するために必要な後述のプログラムを含む各種プログラム及び各種データを予め或いは更新可能に記憶している。そして、記憶ユニット２３の所定記憶位置には、広告の表示媒体となり得る車両１０のユーザである広告配信者に関する情報を始め、広告呈示システムを利用し得るユーザに関する情報を、例えば、車両１０に設けられた通信ユニット１３等に予め割り当てられている固有識別情報に関連付けて検索可能に記憶するユーザ情報データベース２３ａと、広告表示を希望する事業者ごとに作成された広告情報を検索可能に記憶する広告情報データベース２３ｂと、広告された広告商品ごとに店舗３０における販売の実績変化量（販売数量や販売金額（売上高））に対して還元するポイントの還元率を検索可能に記憶する還元処理情報データベース２３ｃと、地図データ等を用いて広告商品を販売する店舗３０の所在位置を検索可能に記憶する店舗位置情報データベース２３ｄとが構成されている。
【００５９】
店舗３０は、車両１０の車体表示部１１に表示されて広告される広告商品を販売するものであり、例えば、スーパーマーケットやコンビニエンスストア、自動販売機（自販機）等である。そして、店舗３０は、図５に概略的に示すように、電子制御ユニット３１、通信ユニット３２及び記憶ユニット３３から構成されるコンピュータ装置を備えている。
【００６０】
電子制御ユニット３１は、ＣＰＵ、ＲＯＭ、ＲＡＭ等を主要構成部品とするマイクロコンピュータであり、各種プログラムを実行することにより、店舗３０の作動を統括的に制御する。このため、電子制御ユニット３１に対して、通信ユニット３２及び記憶ユニット３３がそれぞれ電気的に通信可能に接続されている。
【００６１】
通信ユニット３２は、情報管理センタ２０との間における種々の通信を可能とするものである。尚、通信ユニット２２による通信自体も、本発明に直接関係するものではなく、周知の通信方法（例えば、Bluetooth（登録商標）やWi-Fi（登録商標）、NFC(Near Field Communication)を利用した近・中距離通信、通信基地局を含む携帯電話回線網及びインターネット回線網を利用したネットワーク通信等）を採用することができる。これにより、後述するように、情報管理センタ２０から広告商品の販売実績、すなわち、販売数量や売上高等を表す実績情報の送信要求を表す要求情報を受信したり、この要求情報に応じて情報管理センタ２０に該当する実績情報を送信したりすることができる。
【００６２】
記憶ユニット３３は、ハードディスクや半導体メモリ等の記憶媒体及び同記憶媒体のドライブ装置を含むものであり、各種プログラム及び各種データを記憶している。そして、記憶ユニット３３の所定記憶位置には、店舗３０にて販売する各種商品の販売実績、すなわち、販売数量や売上高等を表す実績情報を商品ごとに検索可能に記憶する販売実績データベース３３ａが構築されている。
【００６３】
次に、本実施形態に係り、車両１０、情報管理センタ２０及び店舗３０によって構成される広告呈示システムにおける情報管理センタ２０の作動を図６を用いて詳細に説明する。
【００６４】
車両１０のユーザ（広告配信者）は、例えば、車両１０の車室内に設けられた操作入力手段（図示省略）又は自身が所有している情報端末装置を利用して、情報管理センタ２０の情報管理サーバ２１によって車両１０の車体表示部１１が広告表示に用いられることに関し、予め利用を許容することを情報管理センタ２０に登録しておく。尚、情報管理センタ２０においては、情報管理サーバ２１が、例えば、記憶ユニット２３に構築されたユーザ情報データベース２３ａに利用を許容することを更新可能に記憶する。そして、このように、広告配信者（ユーザ）によって広告表示に車両１０の車体表示部１１を利用することが許容された状態では、車両１０の電子制御ユニット１２は、位置検出ユニット１５から取得した現在位置情報を通信ユニット１３を介して情報管理センタ２０に送信する。このとき、送信される現在位置情報には、通信ユニット１３に予め割り当てられた固有識別情報が付与されて情報管理センタ２０に送信される。
【００６５】
情報管理センタ２０においては、情報管理サーバ２１が、通信ユニット２２を介して、車両１０の電子制御ユニット１２によって送信された固有識別情報及び現在位置情報を受信する。そして、情報管理サーバ２１は、受信して取得した固有識別情報及び現在位置情報を記憶ユニット２３の所定記憶位置に一時的に記憶する。一方で、情報管理サーバ２１は、図６に示す広告呈示プログラムの実行を所定の短い時間間隔によりステップＳ１０にて開始しており、ステップＳ１１にて、前記受信した現在位置情報に対応する広告情報を取得する。
【００６６】
ここで、広告情報データベース２３ｂに記憶されている広告情報について、具体的に説明しておく。情報管理センタ２０においては、情報管理サーバ２１が、例えば、広告表示を希望する各事業者から取得した希望広告内容情報に基づいて、広告情報を作成し、広告情報データベース２３ｂに検索可能に記憶している。すなわち、情報管理サーバ２１は、例えば、各事業者から取得した希望する広告内容を表す希望広告内容情報に基づいて、広告を表示（呈示）すべき地域及び広告を表示（呈示）する時間帯を特定する。そして、この地域及び時間帯に関連付けて事業者から提供された広告を表す画像（映像）データを特定するとともに、この特定した画像（映像）データの表示態様を関連付けて特定する。これにより、情報管理サーバ２１は、各事業者が広告表示を希望する地域ごとに広告内容の詳細を定めた広告情報を作成し、この作成した広告情報を、例えば、地域ごとに広告情報データベース２３ｂに検索可能に記憶している。
【００６７】
このため、情報管理サーバ２１は、上述したように、一時的に記憶した現在位置情報によって表される車両１０の現在位置を用いて広告情報データベース２３ｂを検索し、この現在位置から移動可能な地域を含む広告情報を抽出して取得する。そして、情報管理サーバ２１は、該当する広告情報を取得すると、ステップＳ１２に進む。
【００６８】
ステップＳ１２においては、情報管理サーバ２１は、通信ユニット２２を介して、前記ステップＳ１１にて取得した広告情報を車両１０に送信（配信）するとともに、車両１０の電子制御ユニット１２に対して送信（配信）した広告情報に基づいて車体表示部１１に広告を表示すること指示する指示情報を送信する。尚、前記ステップＳ１１における検索処理において、現在位置から移動可能な地域を含む広告情報が存在しない場合には、情報管理サーバ２１は、該当する広告情報が存在しないことを表す報知情報を車両１０に送信（配信）する。
【００６９】
車両１０においては、電子制御ユニット１２が、情報管理センタ２０から送信された広告情報及び指示情報、又は、報知情報を、通信ユニット１３を介して受信する。そして、電子制御ユニット１２は、受信して取得した広告情報及び指示情報、又は、報知情報を、記憶ユニット１４の所定記憶位置に検索可能に記憶する。尚、情報管理センタ２０の管理サーバ２１から報知情報を取得した場合には、車両１０が移動可能な範囲内にて該当する広告情報が存在しないため、電子制御ユニット１２は、例えば、車室内に設けられたディスプレイ又はスピーカから表示すべき広告が存在しないことをユーザに報知する。
【００７０】
そして、電子制御ユニット１２は、指示情報に従って、位置検出ユニット１５によって検出されている車両１０の現在位置と、情報管理センタ２０から取得した広告情報に含まれている広告を表示する地域とを比較し、車両１０の現在位置が広告を表示する地域内に存在しているか否かを判定する。又、電子制御ユニット１２は、情報管理センタ２０から取得した広告情報に含まれている広告を表示する時間帯に基づき、現在の時刻が広告を表示する時間帯に入っているか否かを判定する。そして、電子制御ユニット１２は、車両１０の現在位置が広告を表示する地域内に存在し、かつ、現在の時刻が広告を表示する時間帯に入っていれば、広告情報に基づいて広告を車体表示部１１により表示する。これにより、車両１０の周囲に存在する不特定多数の人間（閲覧者）に対して、広告を呈示することができる。このように車体表示部１１に広告情報に基づく広告を表示すると、電子制御ユニット１２は、情報管理センタ２０に対して広告表示を開始したことを表す表示開始情報を送信するようになっている。一方、広告情報に基づいて、例えば、表示する時間帯を経過して広告表示を終了すると、電子制御ユニット１２は、情報管理センタ２０に対して広告表示を終了したことを表す表示終了情報を送信するようになっている。
【００７１】
このため、情報管理センタ２０においては、情報管理サーバ２１が、ステップＳ１３にて、車両１０の電子制御ユニット１２から表示終了情報を受信して取得しており、車両１０の車体表示部１１による広告表示が終了していれば「Ｙｅｓ」と判定してステップＳ１４に進む。一方、未だ表示終了情報を受信して取得していなければ、情報管理サーバ２１は「Ｎｏ」と判定してステップＳ１９に進み、広告呈示プログラムの実行を一旦終了する。そして、所定の短い時間の経過後、再び、ステップＳ１０にて同プログラムの実行を開始する。
【００７２】
ステップＳ１４においては、情報管理サーバ２１は、車両１０の車体表示部１１による広告表示が終了してから予め設定された所定の時間Ｔ分が経過したか否かを判定する。すなわち、情報管理サーバ２１は、車両１０の電子制御ユニット１２から表示終了情報を取得してから所定の時間Ｔ分が経過していれば、「Ｙｅｓ」と判定してステップＳ１５に進む。一方、未だ表示終了情報を受信してから所定の時間Ｔ分が経過していなければ、情報管理サーバ２１は「Ｎｏ」と判定してステップＳ１９に進み、広告呈示プログラムの実行を一旦終了する。そして、所定の短い時間の経過後、再び、ステップＳ１０にて同プログラムの実行を開始する。
【００７３】
ステップＳ１５においては、情報管理サーバ２１は、図１に示したように、広告情報に基づいて広告を表示した車両１０の現在位置（広告表示地点）を中心とした所定距離以内に存在する店舗３０を検索する。そして、情報管理サーバ２１は、検索した店舗３０から車両１０の車体表示部１１を用いて広告した広告商品の実績情報を取得する。すなわち、情報管理サーバ２１は、広告表示地点を用いて店舗位置情報データベース２３ｄを検索し、広告表示地点を中心として所定距離以内に存在する店舗３０を抽出する。そして、情報管理サーバ２１は、抽出した店舗３０に対して、広告商品の実績情報を送信を要求する要求情報を送信する。尚、本実施形態においては、広告表示が終了してから所定の時間Ｔ分が経過した後に実績情報を取得（収集）するために要求情報を送信するように実施するが、広告表示が終了した後に、直ちに要求情報を送信して、情報管理サーバ２１が広告表示の終了後に即座に実績情報の取得（収集）を開始するように実施することも可能である。
【００７４】
店舗３０においては、電子制御ユニット３１が通信ユニット３２を介して、情報管理センタ２０から送信された要求情報を受信する。そして、電子制御ユニット３１は、要求情報に含まれる広告商品を特定する情報を用いて、記憶ユニット３３の所定記憶位置に構築された販売実績データベース３３ａを検索し、広告商品の実績情報に関し、車両１０の電子制御ユニット１２が広告表示を終了してから所定の時間Ｔ分が経過するまでの間の実績情報すなわち所定の時間Ｔ分内における実績情報を取得する。そして、電子制御ユニット３１は、取得した広告商品の実績情報を、通信ユニット３２を介して、情報管理センタ２０に送信する。
【００７５】
情報管理センタ２０においては、情報管理サーバ２１が、通信ユニット２２を介して、店舗３０の電子制御ユニット３１から送信された広告商品の実績情報を受信する。そして、情報管理サーバ２１は、広告商品の実績情報を受信して取得し、記憶ユニット２３の所定記憶位置に一時的に記憶すると、ステップＳ１６に進む。
【００７６】
ステップＳ１６においては、情報管理サーバ２１は、前記ステップＳ１５にて店舗３０から取得して記憶ユニット２３の所定記憶位置に一時的に記憶した広告商品の実績情報に基づき、販売実績に有意な変化があるか否かを判定する。具体的に、情報管理サーバ２１は、例えば、車両１０の電子制御ユニット１２が広告表示を終了してから所定の時間Ｔ分が経過するまでの間の販売実績、言い換えれば、広告商品の販売数量や販売金額（売上高）が、予め設定された基準（すなわち、所定の販売数や販売金額（売上高））を超えるような有意な変化が生じていれば、「Ｙｅｓ」と判定してステップＳ１７に進む。一方、車両１０の電子制御ユニット１２が広告表示を終了してから所定の時間Ｔ分が経過するまでの間の広告商品の販売数や販売金額（売上高）が、予め設定された基準を超えるような有意な変化が生じていなければ、情報管理サーバ２１は「Ｎｏ」と判定してステップＳ１９に進み、広告呈示プログラムの実行を一旦終了する。そして、所定の短い時間の経過後、再び、ステップＳ１０にて同プログラムの実行を開始する。
【００７７】
ステップＳ１７においては、情報管理サーバ２１は、前記ステップＳ１６における判定処理に従い、販売実績の有意な変化に応じた還元ポイントを取得する。すなわち、情報管理サーバ２１は、例えば、車両１０の電子制御ユニット１２が広告表示を終了してから所定の時間Ｔ分が経過するまでの間に変化した広告商品の販売の実績変化量（すなわち、販売数量や販売金額（売上高）の増加量）を、前記ステップＳ１５にて取得した広告商品の実績情報に基づいて算出する。そして、情報管理サーバ２１は、算出した実績変化量を用いて還元処理情報データベース２３ｃを検索し、算出した実績変化量に対応する還元率を取得し、この還元率に基づいて還元ポイントを取得する。このように、還元ポイントを取得すると、情報管理サーバ２１はステップＳ１８に進む。
【００７８】
ステップＳ１８においては、情報管理サーバ２１は、前記ステップＳ１７にて取得した還元ポイントを表す還元情報を、広告表示のために車両１０の車体表示部１１の利用を許容したユーザすなわち広告配信者に送信して還元処理を実行する。すなわち、情報管理サーバ２１は、例えば、車両１０の現在位置情報とともに送信される固有識別情報を用いてユーザ情報データベース２３ａを検索し、広告配信者を特定する。そして、情報管理サーバ２１は、特定した広告配信者に関連付けて、例えば、ユーザ情報データベース２３ａに還元ポイントを蓄積するとともに、特定した広告配信者が所有している車両１０又は広告配信者が利用している情報端末装置に対して還元情報を送信して、還元処理を実行する。
【００７９】
このように還元処理が実行されると、車両１０のユーザすなわち広告配信者においては、情報管理センタ２０から送信された還元情報に基づいて、例えば、車両１０の車室内に設けられたディスプレイや利用している情報端末装置のディスプレイに今回報酬として還元された還元ポイント数（或いは、金額）が表示されるとともに、この還元ポイントの利用可能な店舗等が表示される。これにより、広告配信者は、還元された還元ポイントを利用することが可能となる。
【００８０】
尚、還元ポイントの利用に関し、例えば、広告配信者（車両１０のユーザ）が還元ポイント利用可能な店舗にて買い物をした場合、店舗に備えられた端末装置に対してユーザＩＤ等の識別情報を入力したり、広告配信者（車両１０のユーザ）が所持している携帯情報端末装置を利用して近距離無線通信により決済したり、広告配信者（車両１０のユーザ）が所持しているクレジットカードを利用して決済することにより、自動的に情報管理センタ２０に蓄積された還元ポイントが消費されて、例えば、買い物の料金が割り引かれるようになっている。
【００８１】
このように、前記ステップＳ１８にて広告配信者に対する還元処理を実行すると、情報管理サーバ２１はステップＳ１９に進む。そして、情報管理サーバ２１は、ステップＳ１９にて広告呈示プログラムの実行を一旦終了し、所定の短い時間の経過後、再び、ステップＳ１０にて同プログラムの実行を開始する。
【００８２】
以上の説明からも理解できるように、この第１実施形態によれば、広告提供手段（広告提供装置）としての情報管理センタ２０から提供される広告情報に基づき、広告呈示手段（広告呈示装置）としての車両１０の車体表示部１１によって広告商品を宣伝するための所定の広告が表示（呈示）されると、この表示（呈示）によって変化する広告商品の販売実績の変化に関する実績情報を取得し、この実績情報に基づいて広告の呈示に対して支払う報酬としての還元ポイントを決定することができる。ここで、この第１実施形態においては、車両１０（車体表示部１１）の位置から所定距離以内に存在する店舗３０から、車両１０の車体表示部１１による所定の広告表示が終了してから所定の時間Ｔ分が経過した後における広告商品の販売実績の変化に関する実績情報を取得することができる。
【００８３】
これにより、実績情報によって表される広告商品の販売実績の変化は、車両１０の車体表示部１１によって所定の広告が呈示されることと相関するものとなるため、実績情報に基づくことにより、不特定多数の人間に対して広告を呈示することに伴う広告効果を適切に評価して還元ポイントを決定することができる。又、実績情報については、車両１０（車体表示部１１）から所定距離以内に存在して広告商品を販売する店舗３０からネットワークを介して取得することができるため、例えば、車両１０の車体表示部１１によって表示された所定の広告を見た閲覧者（広告受信者）がインターネット上に開設された店舗３０を利用して広告商品を購入した場合であっても、正確な実績情報を取得することができて、広告の呈示に対する適切な還元ポイントを決定することができる。
【００８４】
ｂ．第２実施形態
次に、本発明の第２実施形態に係る広告呈示システムについて図面を用いて説明する。尚、以下、第２実施形態を詳細に説明するにあたっては、上記第１実施形態と同一部分に同一の符号を付し、その詳細な説明を省略する。図７は、第２実施形態に係る広告呈示システムを概略的に示した概略ブロック図である。この第２実施形態おける広告呈示システムは、車両１０と、情報管理センタ２０と、店舗３０と、車両１０及び店舗３０と近距離無線通信可能な情報端末装置４０とからなるものである。そして、この広告呈示システムにおいては、情報管理センタ２０から送信される広告を表す広告情報に基づいて車両１０が広告を表示するとともに車両１０の周囲に存在する情報端末装置４０に広告情報を配信し、情報端末装置４０のユーザが配信された広告情報に基づいて店舗３０にて広告商品を購入することによって車両１０のユーザすなわち広告配信者と情報端末装置４０のユーザすなわち広告受信者に報酬（還元ポイント）が支払われる。このように、この広告呈示システムを構成することにより、広告の表示媒体としての車両１０を提供した広告配信者及び車両１０を介して配信された広告情報に基づいて広告商品を購入した広告受信者に対して、適切な報酬を支払うことができる。
【００８５】
情報端末装置４０は、ユーザが所持しながら移動可能なものであり、例えば、携帯電話やスマートフォン、タブレット型端末、ノートパソコン等を採用することができる。そして、情報端末装置４０は、ユーザである広告受信者が車両１０の周囲に位置するとき、この車両１０を介して広告情報を取得して蓄積し、この蓄積した広告情報に基づいて店舗３０にて広告商品の購入した履歴を表す購入履歴情報（広告商品購入情報）を情報管理センタ２０に送信するようになっている。このため、情報端末装置４０は、図８に概略的に示すように、電子制御ユニット４１、表示ユニット４２、通信ユニット４３及び記憶ユニット４４を備えている。
【００８６】
電子制御ユニット４１は、ＣＰＵ、ＲＯＭ、ＲＡＭ等を主要構成部品とするマイクロコンピュータであり、各種プログラムを実行することにより、情報端末装置４０の作動を統括的に制御する。このため、電子制御ユニット４１に対して、表示ユニット４２、通信ユニット４３及び記憶ユニット４４がそれぞれ電気的に通信可能に接続されている。
【００８７】
表示ユニット４２は、表示器と操作器とを兼用したタッチパネル式液晶ディスプレイである。通信ユニット４３は、車両１０や情報管理センタ２０、店舗３０との間における種々の通信を可能とするものである。尚、通信ユニット４３による通信方法自体も、本発明の直接関係するものではなく、周知の通信方法（例えば、Bluetooth（登録商標）やWi-Fi（登録商標）、NFC(Near Field Communication)を利用した近・中距離通信、通信基地局を含む携帯電話回線網及びインターネット回線網を利用したネットワーク通信等）を採用することができる。これにより、後述するように、電子制御ユニット４１が通信ユニット４３を利用して、車両１０の電子制御ユニット１２や店舗３０の電子制御ユニット３１との間で近距離無線通信して各種情報（具体的には、ＭＡＣアドレス等の固有識別情報や広告情報等）を送受信したり、情報管理センタ２０の情報管理サーバ２１との間でネットワーク通信して購入履歴情報を送信することができる。記憶ユニット４４は、ハードディスクや半導体メモリ等の記憶媒体及び同記憶媒体のドライブ装置を含むものであり、各種プログラム及び各種データを更新可能に記憶している。
【００８８】
次に、車両１０、情報管理センタ２０、店舗３０及び情報端末装置４０によって構成される第２実施形態の広告呈示システムの作動を図９に示したタイムチャートを用いて詳細に説明する。
【００８９】
まず、この第２実施形態においては、情報端末装置４０のユーザ（広告受信者）は、情報管理センタ２０の記憶ユニット２３に構築されているユーザ情報データベース２３ａに自身を識別するための識別情報を登録する。具体的に、情報端末装置４０のユーザは、通信ユニット４３を介して情報管理センタ２０にアクセスし、表示ユニット４２の入力機能を利用してユーザ名やユーザＩＤ等の識別情報とともに、情報端末装置４０に予め割り当てられた固有識別情報（具体的には、ＭＡＣアドレスや電話番号等）を入力し、情報管理センタ２０に送信する。尚、情報端末装置４０の固有識別情報（特に、ＭＡＣアドレス）については、ユーザが通信ユニット４３を介して情報管理センタ２０にアクセスしているときに自動的に付与されて送信されるようになっている。
【００９０】
情報管理センタ２０においては、情報管理サーバ２１が通信ユニット２２を介して、情報端末装置４０を所持しているユーザ（広告受信者）によって送信された識別情報及び固有識別情報を受信して取得する。そして、情報管理サーバ２１は、取得した識別情報と固有識別情報とを互いに関連付けて検索可能にユーザ情報データベース２３ａに記憶する（登録する）。
【００９１】
又、この第２実施形態においても、車両１０のユーザ（すなわち、広告配信者）は、情報管理センタ２０の情報管理サーバ２１によって車両１０の車体表示部１１が広告表示に利用されることを許容する。これにより、車両１０の電子制御ユニット１２は、例えば、上記第１実施形態と同様に、位置検出ユニット１５から取得した現在位置情報を通信ユニット１３を介して情報管理センタ２０に送信する。
【００９２】
情報管理センタ２０においては、情報管理サーバ２１が、通信ユニット２２を介して、広告の表示媒体となり得る車両１０から送信された現在位置情報及び固有識別情報を受信して取得する。そして、情報管理サーバ２１は、図９に示すタイムチャートに従って、例えば、上記第１実施形態と同様に、車両１０から取得した現在位置情報によって表される現在位置から移動可能な地域を含む広告情報を広告情報データベース２３ｂから抽出して取得し、この広告情報とともに、同広告情報に基づいて車体表示部１１に広告を表示することを指示する指示情報を車両１０に送信（配信）する。
【００９３】
車両１０においては、電子制御ユニット１２が、通信ユニット１３を介して、情報管理センタ２０から送信された広告情報及び指示情報を受信して取得し、記憶ユニット１４の所定記憶位置に一時的に記憶する。そして、電子制御ユニット１２は、指示情報に従い、取得した広告情報に基づく広告を車体表示部１１に表示させる。これにより、車両１０の外方に位置する人に対して、事業者が希望する広告が効果的に表示される。
【００９４】
一方、車両１０の周辺に情報端末装置４０を所持しているユーザ（広告受信者）が存在している、或いは、情報端末装置４０を所持してるユーザ（広告受信者）の周辺を車両１０が走行していると、車両１０の電子制御ユニット１２及び情報端末装置４０の電子制御ユニット４１は、それぞれ、通信ユニット１３及び通信ユニット４３を介して互いに通信（所謂、すれ違い通信）する。
【００９５】
すなわち、車両１０の電子制御ユニット１２は、例えば、通信ユニット１３を用いたBluetooth（登録商標）やWi-Fi（登録商標）、NFCによる近距離無線通信を利用して、常に、車両１０の周辺に通信対象、具体的には、通信ユニット４３を有する情報端末装置４０が存在しているか否かをサーチしている。そして、通信対象である情報端末装置４０が存在すると、車両１０に電子制御ユニット１２は、例えば、通信対象である情報端末装置４０の電子制御ユニット４１との間で互いに固有識別情報であるＭＡＣアドレスを交換し、近距離無線通信を確立する。尚、交換した固有識別情報であるＭＡＣアドレスが本発明の通信実績情報に相当する。そして、車両１０の電子制御ユニット１２は、このように確立された近距離無線通信を利用して、上述したように情報管理センタ２０から取得した広告情報を情報端末装置４０に送信（配信）する。
【００９６】
続いて、図９に示すように、情報端末装置４０においては、電子制御ユニット４１が、車両１０の電子制御ユニット１２から送信（配信）された（所謂、すれ違い配信された）広告情報及び交換した固有識別情報（ＭＡＣアドレス）を互いに関連付けて記憶ユニット４４の所定記憶位置に検索可能に蓄積して記憶する。このように、すれ違い配信によって広告情報及び固有識別情報を互いに関連付けて記憶ユニット４４内に蓄積すると、電子制御ユニット４１は、例えば、表示ユニット４２を利用して、ユーザ（広告受信者）に対して広告情報を取得したことを報知する。
【００９７】
情報端末装置４０のユーザ（広告受信者）は、例えば、表示ユニット４２の表示ディスプレイ上に表示されている広告情報を取得した旨の報知に従い、広告情報によって広告されている広告商品を店舗３０にて購入する。このとき、ユーザ（広告受信者）は、広告商品の購入に際して、情報端末装置４０を利用した周知の電子決済を利用する。すなわち、情報端末装置４０の電子制御ユニット４１は、通信ユニット４３及び通信ユニット３２を用いたNFCによる近距離無線通信を利用して、店舗３０の電子制御ユニット３１と互いに通信し、購入した広告商品を電子決済する。このように、電子決済することにより、電子制御ユニット４１は、店舗３０の電子制御ユニット３１から広告商品を購入したこと及び購入代金（販売金額）を表す購入履歴情報を取得し、この取得した購入履歴情報を広告商品の広告情報に関連付けて、言い換えれば、購入履歴情報、広告情報及び車両１０の固有識別情報を互いに関連付けて記憶ユニット４４の所定記憶位置に検索可能に記憶する。
【００９８】
続いて、電子制御ユニット４１は、図９に示すように、記憶ユニット４４の所定記憶位置に記憶した購入履歴情報を、通信ユニット４３を利用して、情報管理センタ４０に送信する。このとき、電子制御ユニット４１は、記憶ユニット４４内にて購入履歴情報に関連付けられている車両１０の固有識別情報、及び、情報端末装置４０の固有識別情報も併せて、情報管理センタ４０に送信する。
【００９９】
尚、この購入履歴情報の情報管理センタ４０への送信に関しては、上述のように情報端末装置４０の電子制御ユニット４１が通信ユニット４３を介して送信することに加えて、或いは、代えて、店舗３０の電子制御ユニット３１が通信ユニット３２を介して広告商品の購入履歴情報を送信することも可能である。この場合、すれ違い配信によって取得した広告情報を記憶ユニット４４に記憶する際、電子制御ユニット４１は、広告情報をすれ違い配信した車両１０の固有識別情報（ＭＡＣアドレス）及び広告情報を取得した情報端末装置４０の固有識別情報（ＭＡＣアドレス）を、例えば、バーコード化して記憶しておく。
【０１００】
そして、情報端末装置４０のユーザが、例えば、広告商品の会計時に店舗３０の店員に対して、対象となる広告情報を表示ユニット４２を利用して提示するとともに、この広告情報に関連付けられて表示されるバーコードを読み取らせる。これにより、店舗３０の電子制御ユニット３１は、通信ユニット３２を介して、情報端末装置４０のユーザ（広告受信者）によって購入された広告商品の購入履歴情報とともに、車両１０の固有識別情報、及び、情報端末装置４０の固有識別情報を情報管理センタ２０に送信することができる。
【０１０１】
情報管理センタ２０においては、図９に示すように、情報管理サーバ２１が、通信ユニット２２を介して、情報端末装置４０（又は店舗３０）から送信された購入履歴情報、車両１０の固有識別情報、及び、情報端末装置４０の固有識別情報を受信して取得する。そして、情報管理サーバ２１は、取得した各情報を記憶ユニット２３の所定記憶位置に一時的に記憶する。
【０１０２】
続いて、情報管理サーバ２１は、取得した購入履歴情報に基づき、車両１０からすれ違い配信によって広告情報を取得した情報端末装置４０のユーザ（広告受信者）が対象となる広告商品を購入している場合には、購入履歴情報に含まれる購入代金（販売金額）を取得する。そして、情報管理サーバ２１は、取得した購入代金（販売金額）を用いて還元処理情報データベース２３ｃを検索して購入代金（販売金額）すなわち実績変化量に対応する還元率を取得し、この還元率に基づいて還元ポイントを決定する。
【０１０３】
このように還元ポイントを決定すると、情報管理サーバ２１は、上記第１実施形態と同様にして、決定した還元ポイントを表す還元情報を、広告表示のために車両１０の車体表示部１１の利用を許容したユーザ（広告配信者）及び広告表示を見た後に広告商品を購入した情報端末装置４０のユーザ（広告受信者）に送信して還元処理を実行する。すなわち、情報管理サーバ２１は、購入履歴情報とともに送信される車両１０の固有識別情報を用いてユーザ情報データベース２３ａを検索し、広告配信者を特定する。又、情報管理サーバ２１は、購入履歴情報とともに送信される情報端末装置４０の固有識別情報を用いてユーザ情報データベース２３ａを検索し、広告受信者を特定する。これにより、情報管理サーバ２１は、例えば、特定した広告配信者に関連付けてユーザ情報データベース２３ａに還元ポイントを蓄積するとともに、特定した広告受信者に関連付けてユーザ情報データベース２３ａに還元ポイントを蓄積する。そして、情報管理サーバ２１は、特定した広告配信者が所有している車両１０又は広告配信者が利用している情報端末装置に対して還元情報を送信するとともに、特定した広告受信者が所持している情報端末装置４０に対して還元情報を送信して、還元処理を実行する。
【０１０４】
このように、情報管理センタ２０から車両１０（広告配信者）と情報端末装置４０（広告受信者）とに対して、それぞれ、還元情報が送信されると、図９に示すように、広告配信者及び広告受信者のそれぞれに還元ポイントが付与される。具体的には、車両１０のユーザすなわち広告配信者においては、情報管理センタ２０から送信された還元情報に基づいて、例えば、車両１０の車室内に設けられたディスプレイや利用している情報端末装置のディスプレイに今回報酬として還元された還元ポイント数（或いは、金額）が表示されるとともに、この還元ポイントの利用可能な店舗等が表示される。一方、情報端末装置４０のユーザすなわち広告受信者においては、情報管理センタ２０から送信された還元情報に基づいて、表示ユニット４２に今回報酬として還元された還元ポイント数（或いは、金額）が表示されるとともに、この還元ポイントの利用可能な店舗等が表示される。これにより、広告配信者及び広告受信者は、上記第１実施形態と同様に、還元された還元ポイントを利用することが可能となる。
【０１０５】
以上の説明からも理解できるように、上記第２実施形態によれば、購入履歴情報に基づき、車体表示部１１を備えた車両１０と近距離無線通信した実績のある情報端末装置４０のユーザ（広告受信者）が実際に広告商品を購入したことに応じた実績情報を取得することができる。これにより、車両１０の車体表示部１１によって所定の広告が呈示されることと、実績情報によって表される広告商品の販売実績の変化との相関を極めて高精度に評価することができ、この高精度な実績情報に基づくことによって、広告を表示することに伴う広告効果をより適切に評価することができる。その他の効果については、上記第１実施形態と同様である。
【０１０６】
ｂ−１．第２実施形態の変形例
上記第２実施形態においては、図９に示したように、情報端末装置４０の電子制御ユニット４１が、すれ違い配信によって車両１０の電子制御ユニット１２から広告情報を取得し、この広告情報に基づいて広告商品を購入した購入履歴情報を送信することによって、情報管理センタ２０が報酬還元処理を実行するように実施した。この場合、図９にて破線により示すように、車両１０の電子制御ユニット１２と情報端末装置４０の電子制御ユニット４１との間ですれ違い配信によって広告情報の送受信が完了した時点（すれ違い配信が完了したことをトリガーとして）、情報管理センタ２０にて報酬還元処理の実行が開始されるように実施することも可能である。
【０１０７】
すなわち、この場合においては、車両１０の電子制御ユニット１２は、情報端末装置４０の電子制御ユニット４１との間ですれ違い配信が完了すると、交換した固有識別情報（ＭＡＣアドレス）を記憶ユニット１４の所定記憶位置に記憶し、通信ユニット１３を介して、情報管理センタ２０にアクセスする。そして、電子制御ユニット１２は、すれ違い配信に伴って交換した情報端末装置４０の固有識別情報（ＭＡＣアドレス）と車両１０の固有識別情報（ＭＡＣアドレス）とを互いに関連付け、通信実績情報として送信する。
【０１０８】
これにより、情報管理センタ２０においては、情報管理サーバ２１が、予め決定されている還元率に基づいて還元ポイントを決定する。そして、情報管理サーバ２１は、決定した還元ポイントを表す還元情報を、広告表示のために車両１０の車体表示部１１の利用を許容したユーザ（広告配信者）及びすれ違い配信によって広告情報を取得した情報端末装置４０のユーザ（広告受信者）に送信して還元処理を実行する。これにより、車両１０のユーザすなわち広告配信者においては、情報管理センタ２０から送信された還元情報に基づいて、例えば、車両１０の車室内に設けられたディスプレイや利用している情報端末装置のディスプレイに今回報酬として還元された還元ポイント数（或いは、金額）が表示されるとともに、この還元ポイントの利用可能な店舗等が表示される。一方、情報端末装置４０のユーザすなわち広告受信者においては、情報管理センタ２０から送信された還元情報に基づいて、表示ユニット４２に今回のすれ違い配信による報酬として還元された還元ポイント数（或いは、金額）が表示されるとともに、この還元ポイントの利用可能な店舗等が表示される。これにより、特に、広告受信者は、例えば、広告商品を購入するときに、既に還元された還元ポイントを利用することが可能となる。
【０１０９】
ｃ．その他の変形例
上記第１実施形態、第２実施形態及びその変形例においては、情報管理センタ２０から車両１０に送信（配信）される広告情報に関して、特に限定されるものではなく、広告の表示媒体となり得る車両１０の現在位置から移動可能な地域で表示すべき広告であれば如何なる広告情報、言い換えれば、如何なる情報であってもよいとして実施した。すなわち、上記第１実施形態、第２実施形態及びその変形例においては、車両１０の車体表示部１１を介して広告（情報）を配信（表示）することと、広告商品の売り上げ等に有意な変化が生じることとの相関を明確にすることにより、広告配信者や広告受信者に適切な報酬を支払うように実施した。
【０１１０】
ところで、広告表示をより効果的なものとして広告商品の購入を促進するために、例えば、車両１０の車体表示部１１を介して配信（表示）する広告（情報）の内容や表示態様を変更して実施することは有効である。以下、この車両１０の車体表示部１１を介して配信（表示）する広告（情報）の内容や表示態様を変更して実施する変形例を説明するが、上記各実施形態と同一部分に同一の符号を付し、その説明を省略する。すなわち、以下の説明においては、広告表示に関する変形例を示すものであり、広告表示以外の部分については、上記各実施形態及び上記変形例と全く同様に実施されるものである。
【０１１１】
ｃ−１．広告（情報）の表示内容を広告受信者の関心に合わせて変更する場合
上述したように、一般に、広告効果、所謂、宣伝効果は、表示される広告或いは情報を見る側（閲覧者側）の関心の高さや興味の有無によって効果が上がったり下がったりする傾向を有する。このため、車両１０の車体表示部１１を介して配信（表示）する広告（情報）の内容を広告受信者（或いは、広告配信者）の関心に合わせて変更する場合を説明する。
【０１１２】
この場合においては、情報管理センタ２０の記憶ユニット２３に構築されているユーザ情報データベース２３ａに趣向情報及び間柄情報が記憶される。具体的に説明すると、車両１０のユーザ（広告配信者）は、例えば、車両１０に設けられた図示省略の操作ユニットや自身が所有する情報端末装置を利用して、情報管理センタ２０にアクセスする。そして、車両１０のユーザは、自身の趣向として、ユーザ名やユーザＩＤに加えて、現在関心や興味を持っている事項（例えば、現在の仕事に関する事柄や趣味に関する事柄等）や、自身の嗜好に関する事項（例えば、自身が愛用している製品やこの製品に関連する情報等）を、例えば、車両１０の通信ユニット１３に予め割り当てられた固有識別情報（具体的には、ＭＡＣアドレスや電話番号等）とともに情報管理センタ２０に送信する。尚、通信ユニット１３の固有識別情報については、ユーザが車両１０の通信ユニット１３を介して情報管理センタ２０にアクセスしているときには自動的に付与されて送信されるようになっている。
【０１１３】
更に、車両１０のユーザは、自身に関わりのある人物、具体的には、家族、友人、ＳＮＳ上での友人、知人、同窓、同郷、或いは、同業者等の素性を明かしても問題のない特定の関係にある人物について、例えば、これら人物が閲覧者となったときに所持している情報端末装置４０（或いは、乗車している他車両１０の通信ユニット１３）に予め割り当てられた固有識別情報（具体的には、ＭＡＣアドレスや電話番号等）を間柄ごとに分別して情報管理センタ２０に送信する。尚、自身に関わりのある人物が所持している情報端末装置４０（或いは、乗車している他車両１０の通信ユニット１３）の固有識別情報については、情報管理センタ２０の情報管理サーバ２１が、例えば、送信された電話番号に基づいて他の管理センタに機器情報を問い合わせることによってＭＡＣアドレスを取得するようにすることも可能である。
【０１１４】
情報管理センタ２０においては、情報管理サーバ２１が通信ユニット２２を介して、車両１０のユーザによって通信ユニット１３の固有識別情報とともに送信された前記趣向を表す各種情報や自身に関わりのある人物が所持している情報端末装置４０の固有識別情報を受信して取得する。そして、情報管理サーバ２１は、取得した趣向を表す各種情報を通信ユニット１３の固有識別情報に関連付けて趣向情報として検索可能にユーザ情報データベース２３ａに検索可能に記憶する（登録する）。更に、情報管理サーバ２１は、取得した情報端末装置４０の固有識別情報を指定された間柄ごとに分け、それぞれの情報端末装置４０の固有識別情報を通信ユニット１３の固有識別情報に関連付けて間柄情報として検索可能にユーザ情報データベース２３ａに検索可能に記憶する（登録する）。
【０１１５】
一方、情報端末装置４０を所持しているユーザ（広告受信者）は、この情報端末装置４０を利用して、情報管理センタ２０にアクセスする。そして、広告受信者は、自身の趣向として、ユーザ名やユーザＩＤに加えて、現在関心や興味を持っている事項（例えば、現在の仕事に関する事柄や趣味に関する事柄等）や、自身の嗜好に関する事項（例えば、自身が愛用している製品やこの製品に関連する情報等）を、例えば、情報端末装置４０の通信ユニット４３に予め割り当てられた固有識別情報（具体的には、ＭＡＣアドレスや電話番号等）とともに情報管理センタ２０に送信する。尚、通信ユニット４３の固有識別情報については、広告受信者が情報端末装置４０の通信ユニット４３を介して情報管理センタ２０にアクセスしているときには自動的に付与されて送信されるようになっている。
【０１１６】
情報管理センタ２０においては、情報管理サーバ２１が通信ユニット２２を介して、情報端末装置４０を所持しているユーザ（広告受信者）によって通信ユニット４３の固有識別情報とともに送信された前記趣向を表す各種情報を受信して取得する。そして、情報管理サーバ２１は、取得した趣向を表す各種情報を通信ユニット４３の固有識別情報に関連付けて趣向情報として検索可能にユーザ情報データベース２３ａに記憶する（登録する）。
【０１１７】
そして、上記のように、車両１０のユーザ及び情報端末装置４０を所持しているユーザが趣向情報及び間柄情報を情報管理センタ２０に対して登録した状態において、車両１０の電子制御ユニット１２と情報端末装置４０の電子制御ユニット４１とが互いにすれ違い通信すると、情報管理センタ２０の情報管理サーバ２１は、図１０に示す情報配信プログラムを実行する。すなわち、情報管理サーバ２１は、図１０に示す情報配信プログラムを所定の短い時間間隔によりステップＳ５０にて開始し、ステップＳ５１にて車両１０の周辺に情報端末装置４０を所持した閲覧者（広告受信者）が存在しているか否かを判定する。具体的に、情報管理サーバ２１は、上述したすれ違い通信により、車両１０の電子制御ユニット１２から、車両１０の固有識別情報と情報端末装置４０の固有識別情報を受信すると、車両１０の周囲に閲覧者としての情報端末装置４０のユーザ（広告受信者）が存在しているため、ステップＳ５１にて「Ｙｅｓ」と判定してステップＳ５２に進む。一方、すれ違いが行われておらず車両１０の周囲に閲覧者（広告受信者）が存在していなければ、情報管理サーバ２１は、ステップＳ５１にて「Ｎｏ」と判定してステップＳ６０に進んで情報配信プログラムの実行を終了し、所定の短い時間の経過後、再び、ステップＳ５０にて同プログラムの実行を開始する。
【０１１８】
ステップＳ５２においては、情報管理サーバ２１は、車両１０の電子制御ユニット１２によって送信された車両１０の固有識別情報と情報端末装置４０の固有識別情報を用いて記憶ユニット２３のユーザ情報データベース２３ａを検索し、情報端末装置４０の固有識別情報に関連して記憶（登録）されている閲覧者（広告受信者）に関する情報を取得する。具体的に説明すると、情報管理サーバ２１は、まず、車両１０の固有識別情報を用いてユーザ情報データベース２３ａを検索し、この固有識別情報に関連付けれらている間柄情報を取得する。そして、取得した間柄情報によって表される特定の人物のうちで、情報端末装置４０の固有識別情報と一致する人物（広告受信者）が存在すれば、該当する間柄情報を取得する。又、情報管理サーバ２１は、情報端末装置４０の固有識別情報を用いてユーザ情報データベース２３ａを検索し、この固有識別情報に関連付けられている趣向情報が記憶（登録）されていれば、該当する趣向情報を取得する。そして、情報管理サーバ２１は、情報端末装置４０の固有識別情報に関連した間柄情報及び趣向情報を取得できた場合には、これら各情報を閲覧者情報として取得してステップＳ５３に進む。
【０１１９】
ステップＳ５３においては、情報管理サーバ２１は、車両１０のユーザ（広告配信者）と閲覧者である情報端末装置４０のユーザ（広告受信者）との間に特定の関係（具体的には、家族、友人或いは知人等の関係）があるか否かを判定する。すなわち、情報管理サーバ２１は、前記ステップＳ５２にて間柄情報を取得できていれば、車両１０のユーザ（広告配信者）と情報端末装置４０のユーザ（広告受信者）との間に特定の関係があるため、「Ｙｅｓ」と判定してステップＳ５４に進む。一方、前記ステップＳ５２にて間柄情報を取得できていなければ、車両１０のユーザ（広告配信者）と情報端末装置４０のユーザ（広告受信者）との間に特定の関係がないため、情報管理サーバ２１は「Ｎｏ」と判定してステップＳ５９に進み、後述する「趣向対応広告配信ルーチン」を実行する。
【０１２０】
ステップＳ５４においては、情報管理サーバ２１は、前記ステップＳ５３にて判定した情報端末装置４０のユーザ（広告受信者）との間柄に対応する情報（広告情報を含む）をメッセージ情報データベース２３ｂから取得する。具体的に説明すると、前記ステップＳ５３における判定処理によって、例えば、情報端末装置４０のユーザ（広告受信者）との間柄が家族である場合には、広告情報に代えて「一緒に帰ろう」等の家族間で共有したいメッセージや画像を表す画像データを取得し、情報端末装置４０のユーザ（広告受信者）との間柄が友人である場合には、広告情報に代えて「お疲れ様」や「送ろうか？」、「遊びに行こう」等の友人間で共有したいメッセージや画像を表す画像データを取得する。そして、情報管理サーバ２１は、取得した情報（画像（映像）やメッセージを表す画像データ）を、通信ユニット２２を介して、車両１０に送信する。このように、情報端末装置４０のユーザ（広告受信者）との間柄に対応する情報を車両１０に対して送信すると、情報管理サーバ２１は、ステップＳ５５に進む。
【０１２１】
ここで、車両１０においては、電子制御ユニット１２が、通信ユニット１３を介して、情報管理センタ２０の情報管理サーバ２１によって送信された画像データを受信して取得し、取得した画像データを記憶ユニット１４の所定記憶位置に一旦記憶する。そして、電子制御ユニット１２は、記憶ユニット１４の所定記憶位置に記憶した画像データを駆動回路を介して車体表示部１１に供給する。これにより、車体表示部１１は、所定の表示態様によって、図１１に概略的に示すように、例えば、メッセージに含まれる文字や図形をスクロールさせたり点滅させたりして、車両１０の周囲に存在する特定の関係にある情報端末装置４０のユーザ（広告受信者）に対して情報（メッセージ）を表示する。従って、車両１０の電子制御ユニット１２は、車両１０のユーザ（広告配信者）が情報端末装置４０のユーザ（広告受信者）に対して提供したい情報（メッセージ）を表示することができるとともに、閲覧者にとっては自身に関連した（関心のある）情報（メッセージ）が車両１０を介して提供（表示）されるようになる。
【０１２２】
ステップＳ５５においては、情報管理サーバ２１は、車両１０のユーザ（広告配信者）に対して、現在、車体表示部１１を利用して、特定の関係にある情報端末装置４０のユーザ（広告受信者）に対して広告に代えて所定の情報（メッセージ）が表示されていることを通知する。具体的に、情報管理サーバ２１は、通信ユニット２２を介して、車両１０の電子制御ユニット１２に対して、現在、前記ステップＳ５４にて送信した画像データに基づく情報を車体表示部１１に表示させていることをユーザに通知（報知）するように指令する指令情報を送信する。そして、情報管理サーバ２１は、指令情報を送信すると、ステップＳ５６に進む。
【０１２３】
ここで、車両１０においては、電子制御ユニット１２が、通信ユニット１３を介して、情報管理センタ２０の情報管理サーバ２１によって送信された指令情報を受信して取得する。そして、電子制御ユニット１２は、例えば、車両１０の車室内に搭載されている表示ディスプレイやスピーカを利用して、現在、車両１０の周囲に存在する特定の関係にある情報端末装置４０のユーザ（広告受信者）に対して所定の情報（メッセージ）を表示していることを通知（報知）する。尚、この場合、車両１０が停止中であるときには表示ディスプレイ上に通知（報知）を表示し、車両１０が走行中であるときにはスピーカから音声により通知（報知）を行う。これにより、車両１０のユーザは、乗車した状態で、車体表示部１１によって閲覧者に提供したい情報が自動的に表示されていることを容易に把握することができる。
【０１２４】
ステップＳ５６においては、情報管理サーバ２１は、特定の関係にある情報端末装置４０のユーザ（広告受信者）（又は、車両１０のユーザ（広告配信者））が、例えば、前記ステップＳ５４における情報表示処理によって表示された情報に応じて、車両１０に乗車することを要求している（相乗りすることを要求している）か、或いは、現在、特定の関係にある情報端末装置４０のユーザ（広告受信者）が他の車両１０に乗車しており、情報端末装置４０のユーザ（広告受信者）（又は、車両１０のユーザ（広告配信者））がツーリング（並走）しながら移動することを要求しているかを判定する。すなわち、情報端末装置４０のユーザ（広告受信者）（又は、車両１０のユーザ（広告配信者））は、前記ステップＳ５４にて表示された情報に応じて、同一目的地（或いは同一方向）に移動することに関し、相乗り又はツーリングを要求する場合には、情報端末装置４０の通信ユニット４３又は車両１０の通信ユニット１３を介して、情報管理センタ２０に要求情報を送信する。尚、この要求情報については、特定の関係にある情報端末装置４０のユーザ（広告受信者）、又は、場合によっては自車両１０のユーザ（広告配信者）が送信可能であるが、以下の説明においては、その理解を容易とするために、相乗りを要求する要求情報を情報端末装置４０を所持しているユーザ（広告受信者）が送信し、ツーリングを要求する要求情報を他の車両１０に乗車した情報端末装置４０のユーザ（広告受信者）が送信する場合を例示して説明する。
【０１２５】
ここで、情報端末装置４０のユーザ（広告受信者）から相乗り又はツーリングの要求がなされた場合には、情報管理サーバ２１は、車両１０のユーザ（広告受信者）と特定の関係にある情報端末装置４０のユーザ（広告受信者）から要求がなされたことを表す情報を自車両１０に送信するようになっている。これにより、車両１０のユーザ（広告配信者）は、特定の関係にある情報端末装置４０のユーザ（広告受信者）が相乗り又はツーリングを要求しているか否かを把握することができる。そして、この場合、車両１０のユーザ（広告配信者）は、情報管理センタ２０の情報管理サーバ２１に対して、情報端末装置４０のユーザ（広告受信者）による要求に対応するか拒否するかを示すことができる。尚、以下の説明においては、車両１０のユーザ（広告配信者）が閲覧者である情報端末装置４０のユーザ（広告受信者）による要求に対応するものとして説明する。
【０１２６】
情報管理センタ２０においては、情報管理サーバ２１が、通信ユニット２２を介して、情報端末装置４０のユーザ（広告受信者）からの要求情報を受信して取得していれば、ステップＳ５６にて「Ｙｅｓ」と判定してステップＳ５７に進む。一方、情報端末装置４０のユーザ（広告受信者）からの要求情報を取得していなれば、情報管理サーバ２１はステップＳ５６にて「Ｎｏ」と判定してステップＳ６０に進んで情報配信プログラムの実行を終了し、所定の短い時間の経過後、再び、ステップＳ５０にて同プログラムの実行を開始する。
【０１２７】
ステップＳ５７においては、情報管理サーバ２１は、前記要求情報を送信した相手すなわち情報端末装置４０のユーザ（広告受信者）に対して、具体的な内容を確認するための確認情報を送信する。そして、情報管理サーバ２１は、前記要求情報を送信した相手に対して確認情報を送信すると、ステップＳ５８に進む。
【０１２８】
ステップＳ５８においては、情報管理サーバ２１は、前記ステップＳ１７にて送信した確認情報に応答して情報端末装置４０のユーザ（広告受信者）から送信された具体的な内容を示す応答情報を受信する。そして、情報管理サーバ２１は、応答情報によって表される具体的な内容を車両１０のユーザ（広告配信者）に対して通知する。具体的に、情報管理サーバ２１は、情報端末装置４０のユーザ（広告受信者）が相乗りやツーリングを要求する地点（目的地）や方向を表す通知情報を車両１０に送信する。このとき、情報管理サーバ２１は、ツーリングの要求に関し、応答情報によって表される目的地までの経路をツーリングマッチングデータベース２３ｃに記憶されている地図データ及び道路データを用いて探索する。ここで、情報管理サーバ２１は、車両１０から現在位置情報（進行方向情報）を取得しており、車両１０の進行方向に対して閲覧者によって指定された目的地まで探索した経路の一部又は全部が一致する（マッチングする）ときには、車両１０と他の車両１０とがツーリング（並走）しながら移動することが可能である。このため、情報管理サーバ２１は、ツーリングしながらの移動が可能であるか否かを判定し、このツーリング可否情報を含んだ通知情報を車両１０に送信する。
【０１２９】
更に、情報管理サーバ２１は、通知情報に加えて、車両１０のユーザ（広告配信者）が要求に対応する状況では、例えば、情報端末装置４０のユーザ（広告受信者）によって相乗り要求がなされている場合には相乗り要求に対応することを示す情報（メッセージ）を表す画像データを自車両１０に送信し、情報端末装置４０のユーザ（広告受信者）によってツーリング要求がなされている場合には車両１０の車体表示部１１と他の車両１０の車体表示部１１とが連動して一体感を高める情報（メッセージや画像）を表す画像データを車両１０及び他の車両１０に送信する。そして、情報管理サーバ２１は、通知情報及び画像データを送信すると、ステップＳ６０に進んで情報配信プログラムの実行を終了し、所定の短い時間の経過後、再び、ステップＳ５０にて同プログラムの実行を開始する。
【０１３０】
車両１０においては、電子制御ユニット１２が、通信ユニット１３を介して、情報管理センタ２０の情報管理サーバ２１によって送信された通知情報及び画像データを受信して取得する。そして、電子制御ユニット１２は、取得した通知情報に基づき、車両１０の車室内に搭載されている表示ディスプレイやスピーカを利用して、例えば、情報端末装置４０のユーザ（広告受信者）がある地点までの相乗りを要求していることや、他の車両１０に乗車している情報端末装置４０のユーザ（広告受信者）がある目的地までツーリングしながら移動することを要求していることを通知（報知）する。尚、この場合においても、車両１０が停止中であるときには表示ディスプレイ上に通知（報知）を表示し、車両１０が走行中であるときにはスピーカから音声により通知（報知）を行う。
【０１３１】
そして、情報端末装置４０のユーザ（広告受信者）が相乗りを要求している場合には、車両１０の電子制御ユニット１２は、情報管理センタ２０の情報管理サーバ２１から取得した画像データを駆動回路を介して車体表示部１１に供給する。これにより、相乗りを希望している情報端末装置４０のユーザ（広告受信者）に対して、広告表示に代えて、例えば、「どうぞ！」や「待ってて！」等の情報（メッセージ）を表示することができる。一方、他の車両１０に乗車している情報端末装置４０のユーザ（広告受信者）がツーリングを要求している場合には、車両１０の電子制御ユニット１２及び他の車両１０の電子制御ユニット１２は、それぞれ、情報管理センタ２０の情報管理サーバ２１から取得した画像データを駆動回路を介して車体表示部１１に供給する。これにより、ツーリングしている車両１０の車体表示部１１及び他の車両１０の車体表示部１１は、例えば、図１２に概略的に示すように、一体感を高める情報（画像）を互いに連動しながら表示することができる。
【０１３２】
一方で、情報管理サーバ２１は、前記ステップＳ５３にて、車両１０のユーザ（広告配信者）と情報端末装置４０のユーザ（広告受信者）との間に特定の関係がなく「Ｎｏ」と判定した場合には、情報として広告を表示（配信）するためにステップＳ５９に進んで「趣向対応広告配信ルーチン」を実行する。以下、この「趣向対応広告配信ルーチン」を詳細に説明する。
【０１３３】
この「趣向対応広告配信ルーチン」は、図１３に示すように、ステップＳ７０にてその実行が開始され、続くステップＳ７１にて、情報管理サーバ２１は、情報端末装置４０のユーザ（広告受信者）の趣向情報に趣向が登録されているか（含まれているか）否かを判定する。すなわち、情報管理サーバ２１は、「情報配信プログラム」における前記ステップＳ５２にて、取得した情報端末装置４０のユーザ（広告受信者）の趣向情報に趣向が含まれていれば、「Ｙｅｓ」と判定してステップＳ７２に進む。一方、情報端末装置４０のユーザ（広告受信者）の趣向情報に趣向が何ら含まれていなければ、情報管理サーバ２１は「Ｎｏ」と判定してステップＳ７５に進む。
【０１３４】
ステップＳ７２においては、情報管理サーバ２１は、車両１０のユーザ（広告配信者）の趣向情報に趣向が登録されているか（含まれているか）否かを判定する。すなわち、情報管理サーバ２１は、車両１０の固有識別情報を用いてユーザ情報データベース２３ａを検索し、この固有識別情報に関連付けられている趣向情報が記憶（登録）されていれば、該当する趣向情報を取得する。そして、情報管理サーバ２１は、取得した車両１０のユーザの趣向情報に趣向が含まれていれば「Ｙｅｓ」と判定してステップＳ７３に進む。一方、自車両１０のユーザの趣向情報に趣向が何ら含まれていなければ、情報管理サーバ２１は「Ｎｏ」と判定してステップＳ７４に進む。
【０１３５】
ステップＳ７３においては、情報管理サーバ２１は、車両１０のユーザ（広告配信者）の趣向と情報端末装置４０のユーザ（広告受信者）の趣向とに合致する広告情報を取得し、この取得した広告情報を車両１０に送信する。具体的に説明すると、今、車両１０のユーザが、趣向情報に含まれる趣向であって現在関心や興味を持っている事項として、例えば、所持しているスマートフォンのアクセサリに関心があることを登録しており、車両１０のユーザ（広告配信者）と特定の関係にない情報端末装置４０のユーザ（広告受信者）が、趣向情報に含まれる趣向であって現在関心や興味を持っている事項として、例えば、スマートフォンの購入を検討していることを登録している状況を想定する。
【０１３６】
この場合、情報管理サーバ２１は、車両１０のユーザ（広告配信者）の趣向と情報端末装置４０のユーザ（広告受信者）の趣向とに合致するキーワードとして、ユーザが所持する「スマートフォン」及びこのスマートフォンに用いられる「アクセサリ」を抽出し、この「スマートフォン」及び「アクセサリ」に関連する広告情報を、広告情報データベース２３ｄを検索して取得する。そして、情報管理サーバ２１は、取得した「スマートフォン」及び「アクセサリ」に関連する広告情報を表す画像データを、通信ユニット２２を介して、車両１０に送信する。このように、「スマートフォン」及び「アクセサリ」に関連する広告情報を表す画像データを送信すると、情報管理サーバ２１は、ステップＳ７６に進み「趣向対応広告配信ルーチン」を一旦終了して「情報配信プログラム」のステップＳ５９に戻る。そして、情報管理サーバ２１は、「情報配信プログラム」におけるステップＳ６０に進んで情報配信プログラムの実行を終了し、所定の短い時間の経過後、再び、ステップＳ５０にて同プログラムの実行を開始する。
【０１３７】
車両１０においては、電子制御ユニット１２が、通信ユニット１３を介して、情報管理センタ２０の情報管理サーバ２１によって送信された「スマートフォン」及び「アクセサリ」に関連する広告情報を表す画像データを受信して取得し、取得した画像データを記憶ユニット１４の所定記憶位置に一旦記憶する。そして、電子制御ユニット１２は、記憶ユニット１４の所定記憶位置に記憶した画像データを駆動回路を介して車体表示部１１に供給する。これにより、車体表示部１１は、車両１０のユーザ（広告配信者）が所持する「スマートフォン」やこのスマートフォンに用いられる「アクセサリ」の広告を表示する。従って、車両１０の電子制御ユニット１２は、車両１０のユーザ（広告配信者））が情報端末装置４０のユーザ（広告受信者）に対して提供したい広告（自身が所持する「スマートフォン」の「アクセサリ」に関する情報）を表示することができるとともに、情報端末装置４０のユーザ（広告受信者）にとっては自身に関連した（関心のある）広告（「スマートフォン」に関する情報）が車両１０を介して提供（表示）することができる。
【０１３８】
一方、ステップＳ７４においては、情報管理サーバ２１は、情報端末装置４０のユーザ（広告受信者）の趣向に合致する広告情報を取得し、この取得した広告情報を車両１０に送信する。具体的に状況を想定して説明すると、車両１０のユーザ（広告配信者）と特定の関係にない情報端末装置４０のユーザ（広告受信者）は、趣向情報に含まれる趣向であって現在関心や興味を持っている事項として、例えば、スマートフォンの購入を検討していることを登録しているとする。従って、この場合においては、情報管理サーバ２１は、情報端末装置４０のユーザ（広告受信者）の趣向に合致するキーワードとして、「スマートフォン」を抽出し、この「スマートフォン」に関連する広告情報を、広告情報データベース２３ｄを検索して取得する。これにより、情報管理サーバ２１は、取得した「スマートフォン」に関連する広告情報を表す画像データを、通信ユニット２２を介して、車両１０に送信してステップＳ７６に進み「趣向対応広告配信ルーチン」を一旦終了して「情報配信プログラム」のステップＳ５９に戻る。そして、情報管理サーバ２１は、「情報配信プログラム」におけるステップＳ６０に進んで情報配信プログラムの実行を終了し、所定の短い時間の経過後、再び、ステップＳ５０にて同プログラムの実行を開始する。
【０１３９】
車両１０においては、電子制御ユニット１２が、通信ユニット１３を介して、情報管理センタ２０の情報管理サーバ２１によって送信された「スマートフォン」に関連する広告情報を表す画像データを受信して取得し、取得した画像データを記憶ユニット１４の所定記憶位置に一旦記憶する。そして、電子制御ユニット１２は、記憶ユニット１４の所定記憶位置に記憶した画像データを駆動回路を介して車体表示部１１に供給する。これにより、車体表示部１１は、各スマートフォンメーカやキャリアが製造販売する「スマートフォン」に関連する広告を表示する。従って、車両１０の電子制御ユニット１２は、情報端末装置４０のユーザ（広告受信者）にとって自身に関連した（関心のある）広告（「スマートフォン」に関する情報）が車両１０を介して提供（表示）することができる。
【０１４０】
又、前記ステップＳ７１における「Ｎｏ」判定に従い、情報管理サーバ２１は、ステップＳ７５を実行する。このステップＳ７５が実行される状況は、少なくとも情報端末装置４０のユーザ（広告受信者）の趣向が登録されていないときに実行されるものである。このため、情報管理サーバ２１は、広告情報を車両１０の車体表示部１１に表示させるにあたり、例えば、商品種やメーカ等を問わすに広告情報を表示するために予め設定された広告表示設定に基づいて、広告情報を取得する。すなわち、情報管理サーバ２１は、例えば、フリーキーワードにより広告情報データベース２３ｄを検索し、広告情報を取得する。そして、情報管理サーバ２１は、取得した種々雑多な広告情報を表す画像データを、通信ユニット２２を介して、車両１０に送信する。車両１０においては、電子制御ユニット１２が、通信ユニット１３を介して、情報管理センタ２０の情報管理サーバ２１によって送信された広告情報を表す画像データを受信して取得し、取得した画像データを記憶ユニット１４の所定記憶位置に一旦記憶する。そして、電子制御ユニット１２は、記憶ユニット１４の所定記憶位置に記憶した画像データを駆動回路を介して車体表示部１１に供給する。これにより、車体表示部１１は、商品種やメーカ等を何ら問わない種々雑多な広告を表示する。
【０１４１】
そして、情報管理サーバ２１は、ステップＳ７６に進んで「趣向対応広告配信ルーチン」を一旦終了して「情報配信プログラム」のステップＳ５９に戻る。そして、情報管理サーバ２１は、「情報配信プログラム」におけるステップＳ６０に進んで情報配信プログラムの実行を終了し、所定の短い時間の経過後、再び、ステップＳ５０にて同プログラムの実行を開始する。
【０１４２】
以上の説明からも理解できるように、上記変形例によれば、情報管理センタ２０から配信された広告（情報を含む）を表示する（配信する）車両１０のユーザ（広告配信者）と、車両１０の車体表示部１１に表示される（配信される）広告（情報を含む）を閲覧する情報端末装置４０のユーザ（広告受信者）との間の特定の関係（間柄）に対応した情報（広告を含む）を自動的に配信して表示（配信）することができる。これにより、少なくとも情報端末装置４０のユーザ（広告受信者）が関心を持っている（興味を持っている）情報である広告（コンテンツ）を適切に、かつ、自動的に配信して表示することができる。
【０１４３】
上記変形例においては、情報端末装置４０のユーザ（広告受信者）に関連した（関心や興味のある）情報を車両１０の車体表示部１１に表示するように実施した。この場合、車両１０の車体表示部１１は、車外に向けて情報を表示するものであるため、状況によっては、不特定多数の人が車体表示部１１に表示される情報を閲覧することになる。このため、車両１０の周囲に存在する閲覧者である情報端末装置４０のユーザ（広告受信者）に対して選択的に情報を提供するように実施することも可能である。
【０１４４】
具体的に、車両１０の電子制御ユニット１２は、例えば、通信ユニット１３によるBluetooth（登録商標）やWi-Fi（登録商標）、NFCによる近距離無線通信を利用して、上述したように、情報端末装置４０との間で通信を確立することができる。従って、この通信を利用して、車両１０の電子制御ユニット１２は、上述したように情報管理センタ２０の情報管理サーバ２１によって送信されたメッセージや画像、広告等の画像データを、車体表示部１１により表示することなく、通信ユニット１３を利用して情報端末装置４０に送信する。
【０１４５】
これにより、車両１０と通信可能な情報端末装置４０を所持している限定されたユーザ（広告配信者）は、例えば、情報端末装置４０の表示ユニット４２上に表示されるメッセージや画像、広告を閲覧することができる。又、車両１０と通信可能な他の車両１０に乗車している限定された情報端末装置４０のユーザ（広告受信者）は、例えば、車室内に設けられた表示ディスプレイ上に表示されるメッセージや画像、広告を閲覧することができる。すなわち、情報端末装置４０や他の車両１０のように、情報の提供先を選択する（限定する）ことにより、不特定多数の人が情報を閲覧できる状況を回避することができる。その結果、車両１０のユーザ（広告配信者）及び情報端末装置４０のユーザ（広告受信者）のプライバシーを適切に保護することができる。
【０１４６】
又、上記変形例においては、車両１０から送信される固有識別情報を取得することによって、情報管理センタ２０の情報管理サーバ２１が車両１０のユーザ（広告配信者）と情報端末装置４０のユーザ（広告受信者）との間柄等を判断し、この判断した間柄に応じた適切な情報を車両１０に送信するように実施した。この場合、情報管理センタ２０による上記判断等を車両１０側で実行するように実施することも可能である。この場合には、車両１０の電子制御ユニット１２は、上述したユーザ情報データベース２３ａに相当するように車両１０に設けられたデータベースを検索することによって、或いは、外部から固有識別情報、趣向情報及び間柄情報を取得することによって、車両１０のユーザ（広告配信者）と特定の関係にある情報端末装置４０のユーザ（広告受信者）を判断するとともに特定の関係にない情報端末装置４０のユーザ（広告受信者）を判断し、上述した変形例と同様に、それぞれに対応した適切な情報（広告）を車体表示部１１に表示させることができる。
【０１４７】
ところで、車両１０側で間柄等を判断する場合には、特に、特定の関係にない情報端末装置４０のユーザ（広告受信者）に関する固有識別情報、趣向情報及び間柄情報等を電子制御ユニット１２が取得することになる。この場合、プライバシー保護の観点から、可能な限り、特定の関係にない情報端末装置４０のユーザ（広告受信者）に関する固有識別情報、趣向情報及び間柄情報等を取得することを避けることが好ましい。このため、例えば、上述した「趣向対応広告配信」ルーチンを実行して広告情報を車体表示部１１に表示させる場合、すなわち、自車両１０のユーザ（広告配信者）と特定の関係にない情報端末装置４０のユーザ（広告受信者）に広告情報を提供する場合には、上述したように、車両１０とのすれ違い通信によって情報端末装置４０の固有識別情報が取得されたことを起因（トリガー）とし、情報管理センタ２０側で取得された情報端末装置４０の固有識別情報に基づいて特定される情報端末装置４０のユーザ（広告受信者）の趣向に対応する広告情報を表す画像データを送信するように実施することができる。このように、特定の関係にない情報端末装置４０のユーザ（広告受信者）については情報管理センタ２０側の判断により広告情報が決定されることにより、車両１０側で不必要な個人情報を取得する必要がなく、プライバシーやセキュリティーを良好に確保することができ、上記変形例と同様の効果が期待できる。
【０１４８】
ｃ−２．広告の表示密度を高める表示態様をにより広告を表示（配信）する場合
上述したように、広告の表示密度を高めて広告効果すなわち宣伝効果を上げることを目的として、特定の地域や特定の空間に同一の事業者の広告を集中して（占有して）呈示する手法が採用される場合がある。このため、複数の車両１０の車体表示部１１を介して、特定の広告（情報）を集中して配信（表示）する場合を説明する。
【０１４９】
この場合においては、各車両１０の電子制御ユニット１２は、図１４に示す車両１０側の広告呈示プログラムの実行を所定の短い時間間隔によりステップＳ１００にて開始する。一方、情報管理センタ２０の情報管理サーバ２１は、図１４に示す情報管理センタ２０側の広告呈示プログラムの実行を所定の短い時間間隔によりステップＣ１００にて開始する。
【０１５０】
各車両１０においては、電子制御ユニット１２が、ステップＳ１０１にて、後述する広告占有表示したか否かを表す表示判定フラグFRGの値を、広告占有表示していないことを表す「０」に設定しているか否かを判定する。すなわち、電子制御ユニット１２は、表示判定フラグFRGの値を「０」に設定していれば、「Ｙｅｓ」と判定してステップＳ１０２に進む。一方、表示判定フラグFRGの値を、広告占有表示したことを表す「１」に設定していれば、電子制御ユニット１２は「Ｎｏ」と判定してステップＳ１０８に進み、広告占有表示の終了判定処理を実行する。
【０１５１】
ステップＳ１０２においては、電子制御ユニット１２は、車両１０のユーザ（広告配信者）によって、搭載されている車体表示部１１を利用して広告表示することが許可されているか否かを判定する。すなわち、車両１０のユーザ（広告配信者）により、広告表示を許可することが設定されていれば、電子制御ユニット１２はステップＳ１０２にて「Ｙｅｓ」と判定してステップＳ１０３に進む。一方、車両１０のユーザ（広告配信者）によって広告表示を許可しないことが設定されていれば、電子制御ユニット１２は「Ｎｏ」と判定してステップＳ１１０に進み、広告呈示プログラムの実行を終了する。尚、この場合には、車両１０のユーザ（広告配信者）によって広告表示が許可されていないため、電子制御ユニット１２は以後の広告呈示プログラムの実行を終了する。
【０１５２】
ステップＳ１０３においては、電子制御ユニット１２は、前記ステップＳ１０２の判定処理に従い、現在、車両１０のユーザ（広告配信者）によって広告表示が許可されているため、車両１０の現在位置情報を情報管理センタ２０に送信する。すなわち、電子制御ユニット１２は、位置検出ユニット１５によって検出された車両１０の現在位置を取得する。そして、電子制御ユニット１２は、取得した現在位置を表す現在位置情報とともに、車両１０の固有識別情報を通信ユニット１３を利用して情報管理センタ２０に送信する。
【０１５３】
情報管理センタ２０においては、情報管理サーバ２１が、ステップＣ１００にて情報管理センタ２０側の広告呈示プログラムの実行を開始しており、ステップＣ１０１にて、前記車両１０側の広告呈示プログラムにおけるステップＳ１０３にて送信された車両１０の現在位置情報及び固有識別情報を、車両情報として通信ユニット２２を介して受信する。そして、情報管理サーバ２１は、受信して取得した現在位置情報及び固有識別情報を互いに関連付けて、例えば、記憶ユニット２３の所定記憶位置に一時的に記憶して、ステップＣ１０２に進む。
【０１５４】
ステップＣ１０２においては、情報管理サーバ２１は、前記ステップＣ１０１にて一時的に記憶した現在位置情報によって表される車両１０の現在位置を用いて広告情報データベース２３ｂを検索し、この現在位置から移動可能な地域を含む広告情報を抽出して取得する。そして、情報管理サーバ２１は、該当する広告情報を取得すると、ステップＣ１０３に進む。尚、この検索において、現在位置から移動可能な地域を含む広告情報が存在しない場合には、情報管理サーバ２１は、該当する広告情報が存在しないことを表す報知情報を取得する。
【０１５５】
ステップＣ１０３においては、情報管理サーバ２１は、前記ステップＣ１０２にて取得した広告情報又は報知情報を、通信ユニット２２を介して、前記ステップＣ１０１にて取得した固有識別情報を用いて車両１０に送信する。そして、情報管理サーバ２１は、ステップＣ１０４に進み、広告呈示プログラムの実行を一旦終了し、所定の短い時間の経過後、再び、ステップＣ１００にて実行を開始する。
【０１５６】
車両１０においては、電子制御ユニット１２が、車両１０側の広告呈示プログラムにおけるステップＳ１０４にて、前記情報管理センタ２０側の広告呈示プログラムにおけるステップＣ１０３にて送信された広告情報又は報知情報を、通信ユニット１３を介して受信する。そして、電子制御ユニット１２は、受信して取得した広告情報又は報知情報を、記憶ユニット１４の所定記憶位置に検索可能に記憶し、ステップＳ１０５に進む。尚、情報管理センタ２０の管理サーバ２１から報知情報を取得した場合には、車両１０が移動可能な範囲内にて該当する広告情報が存在しないため、電子制御ユニット１２は、例えば、車室内に設けられたディスプレイ又はスピーカから表示すべき広告が存在しないことをユーザに報知することができる。
【０１５７】
ステップＳ１０５においては、電子制御ユニット１２は、前記ステップＳ１０４にて取得した広告情報に基づいて、広告占有表示を開始するか否かを判定する。以下、この判定を具体的に説明する。
【０１５８】
電子制御ユニット１２は、位置検出ユニット１５によって検出されている車両１０の現在位置と、前記ステップＳ１０４にて取得した広告情報に含まれている広告を表示する特定の地域とを比較し、車両１０の現在位置が広告を表示する特定の地域内に存在しているか否かを判定する。又、電子制御ユニット１２は、前記ステップＳ１０４にて取得した広告情報に含まれている広告を表示する時間帯に基づき、現在の時刻が広告を表示する時間帯に入っているか否かを判定する。そして、電子制御ユニット１２は、車両１０の現在位置が広告を表示する特定の地域内に存在し、かつ、現在の時刻が広告を表示する時間帯に入っていれば、広告情報に基づいて広告を占有して表示するために「Ｙｅｓ」と判定してステップＳ１０６に進む。一方、車両１０の現在位置が広告を表示する特定の地域内に存在しない、又は、現在の時刻が広告を表示する時間帯に入っていなければ、未だ広告を占有して表示する必要がないため電子制御ユニット１２は「Ｎｏ」と判定してステップＳ１１０に進み、広告呈示プログラムの実行を一旦終了する。そして、所定の短い時間の経過後、再び、ステップＳ１００にて同プログラムの実行を開始する。
【０１５９】
ステップＳ１０６においては、電子制御ユニット１２は、前記ステップＳ１０４にて取得した広告情報に基づいて、広告を表示する特定の地域内にて他の車両１０と連携し、特定の広告を占有（ジャック）して表示する。以下、この広告の占有表示を具体的に説明する。
【０１６０】
前記ステップＳ１０４にて取得した広告情報と同一の広告情報を取得した全ての車両１０においては、広告を表示する特定の地域内に存在し、かつ、現在の時刻が広告を表示する時間帯に入っていると、取得した広告情報に基づき、該当する全ての車両１０がそれぞれの車体表示部１１上に広告を指定された表示態様により表示する。この場合、該当する車両１０は、広告を表示する特定の地域内に点在したり、或いは、駐車場等の一か所に集まっていたりしており、これらの車両１０が所定の表示態様によって広告を連携して表示することにより、特定の地域内における広告の表示密度が高まってその広告効果を飛躍的に高めることができる。
【０１６１】
ここで、広告効果を高めるために広告情報によって指定される表示態様を具体的に説明しておく。各車両１０が取得する広告情報において指定される表示態様としては、基本的に、複数の車両１０、より詳しくは、複数の車体表示部１１が連動して所定の広告を表示する「連動表示」であり、この「連動表示」には更に「事業者連動」と「視聴者連動」とが含まれる。又、「連動表示」の一態様として、「同期表示」があり、この「同期表示」には「静止画表示」が含まれる。
【０１６２】
「連動表示」は、図１５に概略的に示すように、例えば、広告を表示する特定の地域内に存在する各車両１０において、それぞれの車体表示部１１が連動して順に或いは同期して同一又は複数の画像（映像）やメッセージを表示したり、背景の色を変更して同一の画像（映像）やメッセージを表示したりする表示態様である。そして、それぞれの車体表示部１１が連動して画像（映像）やメッセージを表示する一例として、特定の関係（所謂、コラボレーションしている関係等）にある複数の事業者に関連する画像（映像）をこれら各事業者の関係に合わせて複数の車両１０の車体表示部１１が互いに連動して順に表示するすなわち「事業者連動」や、画像（映像）を視聴者（閲覧者）である情報端末装置４０のユーザ（広告受信者）の性別や年齢等に合わせて複数の車両１０の車体表示部１１が互いに連動して順に表示するすなわち「視聴者連動」がある。このような表示態様としての「連動表示」が指定されることにより、特定の地域内に存在する複数の車両１０においてそれぞれの車体表示部１１が互いに連動して順に画像（映像）やメッセージをを表示することになるため、この画像（映像）やメッセージすなわち広告を見た情報端末装置４０のユーザ（広告受信者）に対して広告効果を高めることができる。
【０１６３】
又、「連動表示」の一態様としての「同期表示」は、図１６に概略的に示すように、例えば、広告を表示する特定の地域内に存在する各車両１０において、それぞれの車体表示部１１が同一の画像（映像）やメッセージを同期して一斉に表示したり、視聴者（閲覧者）である情報端末装置４０のユーザ（広告受信者）の性別や年齢等に合わせて（視聴者に連動して）、それぞれの車体表示部１１が同一の画像（映像）やメッセージを同期して一斉に表示したりする表示態様である。そして、それぞれの車体表示部１１が同期して画像（映像）やメッセージを表示する一例として、広告を表示する特定の地域内に存在する各車両１０がそれぞれの車体表示部１１に同一の静止画像を、広告を表示する時間帯において表示し続けるすなわち「静止画表示」がある。このような表示態様としての「同期表示」が指定されることにより、特定の地域内に存在する複数の車両１０においてそれぞれの車体表示部１１が全て同期された画像（映像）やメッセージをを一斉に表示することになるため、この画像（映像）やメッセージすなわち広告を見た情報端末装置４０のユーザ（広告受信者）に対して強い印象を与えて宣伝効果を高めることができる。
【０１６４】
従って、電子制御ユニット１２は、ステップＳ１０６にて、前記ステップＳ１０４にて取得した広告情報に基づいて、車体表示部１１による表示を制御する。具体的に、電子制御ユニット１２は、取得した広告情報に含まれる画像（映像）データを駆動回路を介して車体表示部１１に供給する。又、電子制御ユニット１２は、広告情報に含まれている表示態様を確認し、例えば、「同期表示」が指定されていれば、通信ユニット１３を利用して、他の車両１０の電子制御ユニット１２と互いに通信することによって表示する広告内容や表示タイミングを合わせ、車体表示部１１に画像（映像）データすなわち広告を同期して表示させる。或いは、広告情報に含まれている表示態様を確認し、例えば、「連動表示」が指定されていれば、通信ユニット１３を利用して、他の車両１０の電子制御ユニット１２と互いに通信することによって表示順序を合わせ、車体表示部１１に画像（映像）データすなわち広告を他の車体表示部１１と連動して（例えば、スクロールさせて）表示させる。このように、車両１０同士が通信することにより、より適切にかつ正確に連動して或いは同期して、広告を表示することができる。
【０１６５】
このように、広告情報に従い、特定の地域内で広告を占有表示すると、電子制御ユニット１２は、表示判定フラグFRGの値を「０」に代えて、広告を占有表示したことを表す「１」に設定する。そして、電子制御ユニット１２は、ステップＳ１０７に進む。
【０１６６】
ステップＳ１０７においては、電子制御ユニット１２は、表示判定フラグFRGが「１」であるか否かを判定する。すなわち、電子制御ユニット１２は、前記ステップＳ１０６にて広告の占有表示が完了しており表示判定フラグFRGの値を「１」に設定していれば、現在、継続して広告を占有表示しているため、「Ｙｅｓ」と判定してステップＳ１０８に進む。一方、例えば、他の車両１０（より詳しくは、他の電子制御ユニット１２）と連携の調整中であり、未だ表示判定フラグFRGの値を「１」に変更できていない場合には、電子制御ユニット１２は「Ｎｏ」と判定してステップＳ１１０に進み、広告呈示プログラムの実行を一旦終了する。そして、所定の短い時間の経過後、再び、ステップＳ１００にて同プログラムの実行を開始する。
【０１６７】
ステップＳ１０８においては、電子制御ユニット１２は、前記ステップＳ１０４にて取得した広告情報に基づいて、広告占有表示を終了するか否かを判定する。すなわち、電子制御ユニット１２は、位置検出ユニット１５によって検出されている車両１０の現在位置と、前記ステップＳ１０４にて取得した広告情報に含まれている広告を表示する特定の地域とを比較し、車両１０の現在位置が広告を表示する特定の地域内に存在していないか否かを判定する。又、電子制御ユニット１２は、前記ステップＳ１０４にて取得した広告情報に含まれている広告を表示する時間帯に基づき、現在の時刻が広告を表示する時間帯に入っていないか否かを判定する。
【０１６８】
そして、電子制御ユニット１２は、車両１０の現在位置が広告を表示する特定の地域内に存在しない、又は、現在の時刻が広告を表示する時間帯に入っていなければ、広告情報に基づいて広告を占有して表示する必要がないため、「Ｙｅｓ」と判定してステップＳ１０９に進む。一方、未だ、車両１０の現在位置が広告を表示する特定の地域内に存在し、かつ、現在の時刻が広告を表示する時間帯に入っていれば、広告を継続して占有表示するために「Ｎｏ」と判定してステップＳ１１０に進み、広告呈示プログラムの実行を一旦終了する。そして、所定の短い時間の経過後、再び、ステップＳ１００にて同プログラムの実行を開始する。
【０１６９】
ステップＳ１０９においては、電子制御ユニット１２は、前記ステップＳ１０８「Ｎｏ」判定処理に従い、駆動回路を介して車体表示部１１による画像（映像）やメッセージの表示を停止させる。そして、電子制御ユニット１２は、ステップＳ１１０に進んで広告呈示プログラムの実行を一旦終了し、所定の短い時間の経過後、再び、ステップＳ１００にて同プログラムの実行を開始する。
【０１７０】
以上の説明からも理解できるように、上記変形例によれば、情報管理センタ２０は、車両１０から送信された現在位置情報に基づき、広告を表示する特定の地域に移動可能であって特定の地域内に存在可能な複数の車両１０に対して広告情報を送信することができる。そして、同一の広告情報を取得した複数の車両１０が特定の領域内に存在するときには、同一の広告情報に基づいて、複数の車両１０のそれぞれの車体表示部１１は連動表示や同期表示によって広告（或いは情報）を車両１０の外方に向けて表示することができる。これにより、特定の地域内における複数の車両１０、より詳しくは、複数の車両１０に設けられた車体表示部１１が、例えば、特定の事業者やコラボレーションしている事業者の広告を集中して（占有して）表示することによって広告密度を効果的に高めることができ、その結果、情報端末装置４０のユーザ（広告受信者）が広告を見る機会を増やしたり、強い印象を与えて、広告効果（宣伝効果）を飛躍的に向上させることができる。
【０１７１】
上記変形例においては、情報管理センタ２０が、広告情報に基づき、広告を表示する特定の地域に移動可能な各車両１０に対して対応する広告情報を送信（配信）するように実施した。この場合、少なくとも情報管理センタ２０における広告情報の送信機能（広告情報送信手段）を有していて広告表示を希望する店舗３０から各種情報を送信できる送信エリア内に存在する全ての車両１０に対して、店舗３０の広告情報を送信（提供）するように実施することも可能である。この場合においても、広告を表示する特定の地域に相当する送信エリア内に位置する車両１０の電子制御ユニット１２は、上記変形例の場合と同様に、取得した広告情報に基づいて、送信エリア内で他の車両１０の車体表示部１１と連携して自身の車体表示部１１に広告（或いは情報）を所定の表示態様により表示させることができて、広告を占有表示することができる。従って、上記変形例と同様の効果が期待できるとともに、車両１０が送信エリア内に存在するか否かを判定する必要がなく、簡便に店舗３０の広告効果を高めることができる。
【０１７２】
本発明の実施にあたっては、上記各実施形態及び各変形例に限定されるものではなく、本発明の目的を逸脱しない限りにおいて、種々の変更が可能である。
【０１７３】
例えば、上記各実施形態及び各変形例においては、広告配信者である車両１０のユーザ及び広告受信者である情報端末装置４０のユーザに還元ポイントが付与されるように実施した。この場合、付与される還元ポイントに関し、例えば、所定の期間内のみ利用できるように時限や利用制限を設定することが可能である。又、還元ポイントに代えて、例えば、所定の期間内のみ利用できる或いは購入できる商品が制限されるクーポンを配布するように実施することも可能である。このように時限や利用制限を設定することによって、還元ポイント（クーポン）の利用を効果的に促すことができる。
【０１７４】
又、上記第２実施形態においては、広告配信者である車両１０のユーザと広告受信者である情報端末装置４０のユーザとの両方に還元ポイントを付与するように実施した。この場合、広告表示に協力している車両１０のユーザに対してのみ、広告商品の販売実績に関する実績情報に対応した還元ポイントを付与するように実施可能であることは言うまでもない。
【０１７５】
又、上記第２実施形態においては、車両１０の電子制御ユニット１２と情報端末装置４０の電子制御ユニット４１とが常にすれ違い通信可能なように、常にサーチするように実施した。又、情報端末装置４０のユーザが広告商品の購入すると、この広告商品の購入に関する購入履歴情報が自動的に情報管理センタ２０の情報管理サーバ２１に送信されるように実施した。この場合、情報端末装置４０のユーザの意思に応じて、すれ違い通信の可否や購入履歴情報の送信可否が設定される、すなわち、近距離無線通信の実績の取得を許可又は禁止するように実施することが可能である。これにより、情報端末装置４０のユーザは、例えば、還元ポイントの付与のようなサービスを受けたい意思があるときに限り、近距離無線通信を許可することが可能となるため、情報端末装置４０のユーザのプライバシーやセキュリティーを良好に確保することができる。
【０１７６】
又、上記第２実施形態においては、すれ違い配信によって取得された広告情報や購入履歴情報を情報端末装置４０の記憶ユニット４４の所定記憶位置に蓄積して記憶するように実施した。この場合、情報端末装置４０への負荷を低減するとともにリソースを有効に利用するために、例えば、古い広告情報や古い（過去の）購入履歴情報を自動的に順次消去したり、情報端末装置４０のユーザ自身が手動により消去できるようにしたりすることが可能である。これにより、不要な情報を適切に消去することができて、十分にリソースを確保することができる。
【０１７７】
又、上記第２実施形態においては、すれ違い配信によって取得した広告情報を情報端末装置４０における記憶ユニット４４の所定記憶位置に蓄積して記憶するように実施した。そして、情報端末装置４０のユーザが、例えば、同装置４０の通信ユニット４３を利用した近距離無線通信によって店舗３０の電子制御ユニット３１と通信し、広告商品を購入することによって所定の還元ポイントが付与されるように実施した。
【０１７８】
この場合、例えば、情報端末装置４０がすれ違い配信によって車両１０から広告情報を取得した場合、取得した広告情報を車両１０及び情報端末装置４０の固有識別情報とともにネットワーク上にて一時的にセキュアに保存しておき、例えば、自宅に設置されたコンピュータによりインターネットを利用して広告商品を購入する場合等、情報端末装置４０を利用することなく広告商品を購入する場合においても、適切に所定の還元ポイントが付与されるように実施することも可能である。この場合においては、インターネットを利用して広告商品の購入する時にネットワーク上にセキュアに保存されている広告情報と車両１０及び情報端末装置４０の固有識別情報を取得することによって、上記第２実施形態と同様に、購入履歴情報を取得することができる。そして、取得した購入履歴情報を情報管理センタ２０に送信することによって、上記第２実施形態と同様に、情報管理サーバ２１は、所定の還元ポイントを車両１０及び情報端末装置４０のユーザに付与することができる。又、この場合においては、情報端末装置４０を利用することなく、還元ポイントを利用して広告商品を購入することができるため、例えば、情報端末装置４０として車両に搭載された車載情報端末装置を採用することが可能となる。
【０１７９】
又、上記各実施形態及び各変形例においては、表示部として、薄板状とされた周知の自発光型表示パネルや透過光型表示パネル等からなる車体表示部１１を車両１０の外板の外表面上に設置（貼付）するように実施した。この場合、車両１０の外方に位置する広告の視聴者に対して見やすい広告を呈示可能であれば、如何なるものを採用して車体表示部１１を構成し、実施可能であることは言うまでもない。このような車体表示部１１としては、例えば、周知の自発光型表示パネル（例えば、プラズマ表示パネルや有機ＥＬ表示パネル等）や透過光型表示パネル（例えば、バックライトを有する液晶表示パネル等）からなる、所謂、筐体を有するディスプレイ装置を採用することができる。
【０１８０】
又、上記各実施形態及び各変形例においては、移動可能な車両１０の車体表示部１１を利用して所定の広告を表示するように実施した。この場合、広告を表示する媒体である表示部としては、例えば、建物の壁等に固定されたディスプレイ装置、所謂、デジタルサイネージを利用して所定の広告を表示するように実施可能であることは言うまでもない。この場合においても、所定の広告を適切に表示することができるため、上記各実施形態及び各変形例と同様の効果が期待できる。
【０１８１】
更に、上記第１実施形態と上記第２実施形態とを組み合わせて実施することも可能である。このように、上記第１及び第２実施形態を組み合わせて実施する場合には、上述した第１実施形態による効果と第２実施形態による効果とが得られるため、より好適である。
【図１】
0005601423.tif 000002
【図２】
0005601423.tif 000003
【図３】
0005601423.tif 000004
【図４】
0005601423.tif 000005
【図５】
0005601423.tif 000006
【図６】
0005601423.tif 000007
【図７】
0005601423.tif 000008
【図８】
0005601423.tif 000009
【図９】
0005601423.tif 000010
【図１０】
0005601423.tif 000011
【図１１】
0005601423.tif 000012
【図１２】
0005601423.tif 000013
【図１３】
0005601423.tif 000014
【図１４】
0005601423.tif 000015
【図１５】
0005601423.tif 000016
【図１６】
0005601423.tif 000017